(57)【特許請求の範囲】
【請求項１】
第一端部及び第二端部を有する人工器官幹部（５２０）であって、貫通して延びている幹部管腔、幹部壁、及び前記第一端部と第二端部との間の位置において前記幹部壁に設けられた第一の吻合部（５１９）を有する人工器官幹部（５２０）と、
第一端部及び第二端部を有する第一の人口器官側枝（５３４）であって、貫通して伸長している第一の側枝管腔、側枝壁、及び当該第一の人工器官側枝の前記第一端部と第二端部との間の位置において前記側枝壁に設けられた第二の吻合部（５３７）を有し、前記幹部壁の前記第一の吻合部から伸長している第一の人工器官側枝（５３４）と、
貫通して伸長している第二の側枝管腔を有し、前記側枝壁の前記第二の吻合部から伸長している第二の人工器官側枝（５３３）と、
を備えており、
前記第一の側枝管腔は、前記幹部壁に形成された前記第一の吻合部を介して前記幹部管腔と流体連通し、
前記第二の側枝管腔は、前記側枝壁に形成された前記第二の吻合部を介して前記第一の側枝管腔と流体連通する、人工器管。
【請求項２】
前記第一および第二の人工器官側枝（５３３，５３４）のうちの少なくとも１つが、前記人工器官幹部（５２０）に沿って長手方向に且つ該人工器官幹部の周りに周方向に設けられている、請求項１に記載の人工器管。
【請求項３】
前記第一の人工器官側枝（５３４）と前記第二の人工器官側枝（５３３）との両方が、前記人工器官幹部（５２０）に沿って長手方向に且つ該人工器官幹部の周りに周方向に設けられている、請求項１に記載の人工器管。
【請求項４】
前記第二の人工器官側枝（５３３）が前記第一の人工器官側枝に沿って長手方向に且つ該第一の人工器官側枝（５３４）の周りに周方向に設けられている、請求項１又は２に記載の人工器管。
【請求項５】
前記第一および第二の人工器官側枝（５３３，５３４）のうちの少なくとも１つは、その長さに沿ってテーパーが付けられている、請求項１乃至４のいずれかに記載の人工器管。
【請求項６】
前記第一の人工器官側枝（５３４）は、その長さに沿ってテーパーが付けられている、請求項１乃至５のいずれかに記載の人工器管。
【請求項７】
前記第一の人工器官側枝（５３４）が前記人工器官幹部（５２０）の長手方向に沿って且つ該人工器官幹部の周りに周方向に設けられていること、
前記第二の人工器官側枝（５３３）が前記人工器官幹部（５２０）の長手方向に沿って且つ該人工器官幹部の周りに周方向に設けられていること、
前記第二の人工器官側枝（５３３）が前記第一の人工器官側枝（５３４）の長手方向に沿って且つ該第一の人工器官側枝の周りに周方向に設けられていること、及び
前記第一の人工器官側枝（５３４）がその長さに沿ってテーパーが付けられていること、
のうちの２以上の特徴を更に備えている、請求項１に記載の人工器管。
【請求項８】
前記第一の吻合部（５１９）の直径が約１０ｍｍである、請求項１乃至７のいずれかに記載の人工器管。
【請求項９】
前記第一の吻合部（５１９）の直径が約１６ｍｍである、請求項１乃至７のいずれかに記載の人工器管。
【請求項１０】
前記第一および第二の人工器官側枝（５３３，５３４）のうちの少なくとも１つが近位方向に延在する、請求項１乃至９のいずれかに記載の人工器管。
【請求項１１】
前記第一および第二の人工器官側枝（５３３，５３４）のうちの少なくとも１つが遠位方向に延在する、請求項１乃至１０のいずれかに記載の人工器管。
【請求項１２】
前記第一の人工器官側枝（５３４）が患者の上腸間膜動脈内へ挿入できるようになされており、前記第二の人工器官側枝（５３３）が患者の腹腔動脈内へ挿入できるようになされている、請求項１乃至１１のいずれかに記載の人工器管。
【発明の詳細な説明】
【技術分野】
【０００１】
本発明は、損傷した脈管、管又はその他の生理学的流路の修復のために、人間又は動物の体内に移植するための人工器官に関する。
【背景技術】
【０００２】
本明細書全体に亘って、大動脈又はその他の血管に対する本発明の適用を説明する際に、人工器官に関する“遠位”という用語は、人工器官が埋め込まれる際に血液の流れに関して更に下流の位置又は人工器官の部分を指すことが意図されており、“遠位方向に”という用語は、血液の流れの方向又は更に下流を意味している。“近位”という用語は、人工器官が埋め込まれる際に血液の流れに関して更に上流の位置又は人工器官の部分を指すことが意図されており、“近位方向に”という用語は、血液の流れと反対の方向又は更に上流を意味している。
【０００３】
血管及び管のような人間及び動物の身体の機能的な脈管は、ときおり脆弱化し、さらには裂けることもある。例えば、大動脈の壁は脆弱化して動脈瘤を生じさせ得る。このような動脈瘤は、血流の力に更に曝されると破れる。ある研究によって、６０歳〜７５歳の西ヨーロッパ人及びオーストラリア人は、直径が２９ｍｍより大きな大動脈瘤が母集団の６．９％に見られ、４０ｍｍを超える大動脈瘤は母集団の１．８％に存在することがわかった。
【０００４】
脆弱化した脈管、動脈瘤がある脈管又は破れた脈管のための一つの外科的介入としては、管腔内人工器官を使用して元の健康な脈管の幾らか又は全ての機能を提供し且つ／又は脈管内の障害のある部位に跨ってある長さの現存の脈管の壁を取り替えることによって残っている脈管の完全性を維持する方法がある。
【０００５】
これらの人工器官は脈管内の障害のある部分を密封することが好ましい。脆弱化した脈管又は動脈瘤ができた脈管に対しては、人工器官の小さな漏れでさえ治療された脈管の加圧又は脈管内の流れの加圧につながり、これは人工器官によって治療することを意図されている状態を悪化させる。このタイプの人工器官は、例えば、腹大動脈、腸骨動脈又は腎動脈のような血管側枝の動脈瘤を治療することができる。
【０００６】
管腔内人工器官は、一体構造とするか又は多数の人工器官モジュールによって構成することができる。モジュール型の人工器官は、外科医が、種々の大きさの人工器官の必要な在庫を減じつつ脈管の形態の広範囲の変化する態様に順応できるようにする。例えば、動脈は、長さ、直径及び腎動脈領域と大動脈側枝領域との間の角度部分が異なる。これらの相違の各々に適合する人工器官モジュールは、特注の人工器官又はこれらの相違の全ての可能な組み合わせに適応する人工器官の大量の在庫の必要性を不要にする人工器官を形成するように組み立てることができる。モジュール方式はまた、隣接のモジュールを配置させる前に一つのモジュールの適正な配置を可能にすることによって配置に適合することもできる。
【０００７】
モジュール方式は、典型的には、一つのモジュールの端部が部分的に他のモジュール内側に配置されて好ましくは重なり領域を通る外周並置状態が形成されるように人工器官モジュールの管状端部同士を重ねることによって生体内で組み立てられる。この取り付け方法は“トロンボーニング（トロンボーン型の結合）”と呼ばれている。人工器官とモジュールとの間の結合は、典型的には、重なっている部分同士の摩擦力によって維持され且つこの結合は２つモジュールが重なっている位置において外側の人工器官モジュールに対して内側の人工器官モジュールによってかけられる半径方向の力によって強化される。この嵌め合いは、重なり部分においてこれらのモジュールに取り付けられるステントによって更に高められる。
【０００８】
これらの人工器官によって治療される、ある長さの脈管は、１以上の脈管側枝すなわち主要脈管に吻合された脈管を有している。腹腔動脈、上腸間膜動脈、左総頚動脈及び腎動脈は例えば大動脈の血管側枝であり、下腹動脈は総腸骨動脈の血管側枝である。これらの血管側枝が人工器官によって塞がれている場合には、本来の血液循環が妨害され、患者は病気になる。例えば腹腔動脈が人工器官によって塞がっている場合には、患者は、腹痛、体重の減少、吐き気、鼓脹及び腸膜虚血に伴う軟便を感じる。血管側枝の閉塞は通常は不快な症状、さらには生命に関わる症状に関連する。
【０００９】
従って、管腔内人工器官によって血管を治療する際には、主要人工器官モジュールから血管側枝へと伸長している人工器官側枝を設けることによって、本来の血液循環を維持し且つ血管側枝内への血流が妨害されないようにすることが好ましい。例えば、以後に説明するゼニス（Zenith，登録商標）腹大動脈人工器官（クック  インコーポレイティッド（Cook Incorporated）、インディアナ州ブルーミントン）の大動脈部分は、腎動脈の上方に伸長し且つ腎動脈内へと伸長して腎動脈に対して血流を提供する人工器官側枝を有するように設計されている。代替的には、側枝した大動脈人工器官の腸骨側枝は、対応する下腹動脈内へと伸長し且つこの下腹動脈に血流を提供するように設計することができる。側枝伸長人工器官モジュール（“側枝伸長部”）は、動脈側枝内へと更に伸長するように人工器官側枝に対するトロンボーン型の結合を形成することができる。更に、動脈瘤のうちの幾らかは血管側枝内へと伸長する。人工器官側枝及び側枝伸長部をこれらの血管内に配備することは、これらの動脈瘤の拡大及び／又は破裂を防止する助けとなる。これらの動脈瘤は高い罹患及び罹患率を伴う。
【００１０】
典型的には、現存の人工器官側枝は、主たる管腔管移植片に対して真直ぐなｙ字形状の又はｔ字形状の結合部を備えている。このような人工器官側枝及びそれらに関連する側枝伸長部の例が米国特許第６，５２０，９８８号及び第６，５７９，３０９号に示されている。これらの側枝伸長部及びそれらに関連する人工器官側枝のうちの幾つかは、外れたり、よじれたり且つ／又は不十分な血液動力学を惹き起こしたりする。これらの問題点は、人工器官側枝と側枝伸長部との連結部での血栓形成及びエンドリークにつながるかも知れない。
ＷＯ  ２００６／１１３５０１号には、貫通して延びている幹部管腔と壁と該壁に設けられた第一の吻合部とを備えている管腔内人工器官が開示されている。前記吻合部を貫通して、側枝管腔を備えている人工器官側枝が延在している。該側枝管腔は、前記吻合部を介して前記幹部管腔と流体連通している。前記人工器官側枝は前記人工器官幹部に沿って長手方向に且つ該人工器官幹部の周りに周方向に配置されている。
【発明の概要】
【００１１】
本発明の一つの実施例に従って、請求項１に記載されている管腔内人工器官が提供されている。
【００１２】
ある形態においては、管腔内人工器官が提供されており、該人工器官は、人工器官幹部と第一及び第二の人工器官側枝とを備えている。人工器官幹部は、貫通している幹部管腔と幹部壁とを備えている。第一の人工器官側枝は、幹部壁から延在しており且つ貫通している第一の側枝管腔と側枝壁とを備えている。第二の人工器官側枝は、側枝壁から延在しており且つ第二の側枝管腔を備えている。第一の側枝管腔は前記幹部壁に形成されている第一の吻合部を介して前記幹部管腔と流体連通しており、前記第二の側枝管腔は前記側枝壁に形成されている第二の吻合部を介して前記第一の側枝管腔と流体連通している。
【００１３】
前記第一の人工器官側枝及び第二の人工器官側枝のうちの少なくとも一方あるいは幾つかの例において両方ともが、人工器官幹部に沿って長手方向に且つ該幹部の外周に沿って設けられている。幾つかの例においては、人工器官側枝のうちの一つが他方の人工器官側枝に沿って長手方向に且つ該側枝の周囲に沿って配置されている。人工器官側枝は、あらゆる適切な形状とすることができる。例えば、該側枝のうちの少なくとも一つはテーパーが付けられていても良い。
【００１４】
本発明の別の特徴に従って、請求項１３に記載されている管腔内人工器官が提供されている。
【００１５】
別の特徴によれば、管腔内人工器官が提供され、該管腔内人工器官は人工器官幹部と該人工器官幹部に取り付けられているステントとを備えている。該人工器官幹部は、その中を貫通している幹部管腔と、壁と、該壁に設けられた吻合部とを備えている。ステントは、人工器官幹部に対する半径方向の支持を提供する管状のステント本体を備えている。このステント本体は、人工器官幹部の長手軸線を中心にエンドレスに第一のステントパターンと第二のステントパターンとが互い違いに形成されている。第一のステントパターンはループを備えており、該ループは吻合部の全周に接触し且つこれを支持する外形を有している。幾つかの例においては、第二のステントパターンはジグザグ形状を有している。該ループは、吻合部の外形に適合する如何なる外形を有していても良い。幾つかの例においては、ループは卵形形状を有している。
【００１６】
本発明の更に別の特徴に従って、請求項１６に記載されている管腔内人工器官が提供されている。
【００１７】
別の特徴においては管腔内人工器官が提供されており、該管腔内人工器官は、幹部管腔を有している人工器官幹部と、側枝管腔を有している人工器官側枝と、ステントとからなる。ステントはステントパターンを有しており、該ステントパターンは、第一の軸線を中心として配置されている第一の管状ステント領域と第二の軸線を中心として配置されている第二の管状ステント領域とが該ステントの外周を取り巻いてエンドレスに互い違いになっている。第一のステント領域は人工器官幹部の少なくとも一部分に取り付けられていてこの部分を支持しており、第二にステント領域は人工器官側枝の少なくとも一部分に取り付けられていてこの部分を支持している。
【００１８】
幾つかの例においては、エンドレスに互い違いに設けられているステントパターンはジグザグ形状を含んでいる。第一及び第二のステントの領域は、ほぼ同じ直径を有していても良いし又は異なる直径を有していても良い。第一のステントの軸線と第二のステントの軸線とは、人工器官幹部と人工器官側枝との配列に従って配列されている。例えば、第一のステントの軸線と第二のステントの軸線とはほぼ同一線とすることができる。幾つかの例においては、ステントは８の字形状を有している。
【００１９】
幾つかの例においては、人工器官側枝は、少なくとも一部が人工器官幹部管腔の内側に設けられている。同様に、人工器官側枝は少なくとも一部が人工器官幹部管腔の外側に設けられている。ステントは、人工器官幹部と人工器官側枝との内側面及び／又は外側面上に設けられている。例えば、第一ステント領域の少なくとも一部分は人工器官幹部の内側面上に設けられている。これらの例においては、第一のステント領域の少なくとも一部分は、人工器官側枝の表面例えば人工器官側枝の外面上に設けられている。幾つかの例においては、第二のステント領域の少なくとも一部分は人工器官側枝の外面上に設けられている。
【００２０】
本発明の他の特徴は、本発明の以下の説明に関連して明らかになるであろう。
【図面の簡単な説明】
【００２１】
【図１】図１は、ｙ字形状の人工器官側枝を備えている管腔内人工器官の前方概略図である。
【図２】図２は、螺旋状の人工器官側枝を備えている管腔内人工器官の前方概略図である。
【図３ａ】図３ａは、螺旋状の人工器官側枝を備えている管腔内人工器官の一実施例の側面図である。
【図３ｂ】図３ｂは図３ａの実施例の別の側面図である。
【図３ｃ】図３ｃは伸長部モジュールの一実施例の図である。
【図４ａ】図４ａは管腔内人工器官の一実施例の概略上面図である。
【図４ｂ】図４ｂは図４ａの実施例の概略前面図である。
【図４ｃ】図４ｃは図４ａの実施例の構造の前面図である。
【図５ａ】図５ａは、大きな吻合部を形成する好ましいステップを示している図である。
【図５ｂ】図５ｂは、大きな吻合部を形成する好ましいステップを示している図である。
【図５ｃ】図５ｃは、大きな吻合部を形成する好ましいステップを示している図である。
【図５ｄ】図５ｄは、大きな吻合部を形成する好ましいステップを示している図である。
【図６ａ】図６ａは、管腔内人工器官の一つの実施例の前方概略図である。
【図６ｂ】図６ｂは図６ａの実施例の構造図である。
【図７ａ】図７ａは管腔内人工器官の一実施例の前方概略図である。
【図７ｂ】図７ｂは図７ａの実施例の上面図である。
【図８ａ】図８ａは、管腔内人工器官の一つの実施例の前方図である。
【図８ｂ】図８ｂは図８ａの実施例の上面図である。
【図８ｃ】図８ｃは図８ａの実施例の別の側面図である。
【図８ｄ】図８ｄは図８ａの実施例の後方図である。
【図９ａ】図９ａは、管腔内人工器官の一実施例の構造の前方図である。
【図９ｂ】図９ｂは図９ａの実施例の概略前方図である。
【図１０ａ】図１０ａは、管腔内人工器官の一実施例の概略前方図である。
【図１０ｂ】図１０ｂは図１０ａの実施例の概略上面図である。
【図１１ａ】図１１ａは管腔内人工器官の一実施例の図である。
【図１１ｂ】図１１ｂは管腔内人工器官の一実施例の図である。
【図１１ｃ】図１１ｃは管腔内人工器官の一実施例の図である。
【図１２ａ】図１２ａは、管腔内人工器官の一実施例の構造の前方図である。
【図１２ｂ】図１２ｂは図１２ａの実施例の概略前方図である。
【図１２ｃ】図１２ｃは図１２ａの実施例の概略上面図である。
【図１３ａ】図１３ａは、襞を備えている管腔内人工器官の一実施例の概略前方図である。
【図１３ｂ】図１３ｂは図１３ａの実施例の構造図である。
【図１３ｃ】図１３ｃは図１３ａの実施例の概略上面図である。
【図１４ａ】図１４ａは管腔内人工器官の一実施例の図である。
【図１４ｂ】図１４ｂは管腔内人工器官の一実施例の図である。
【図１５ａ】図１５ａは、下腹動脈内の人工器官側枝に結合されている左腸骨動脈内に人工器官幹部モジュールを備えているモジュール型人工器官を示している図である。
【図１５ｂ】図１５ｂは、人工器官幹部と動脈モジュールとが、介入人工器官モジュールによって結合されている図１５ａのモジュール型人工器官を示している図である。
【図１５ｃ】図１５ｃは、介入人工器官モジュールを示している図である。
【図１６】図１６は、環状ステントを備えている螺旋状の側枝を示している図である。
【図１７】図１７は、螺旋状側枝の遠位の小孔に縫い付けられた管状ステントを示している図である。
【図１８】図１８は、螺旋状のステントを備えている螺旋状の側枝を示している図である。
【図１９】図１９は、側枝小孔に巻き付けられている螺旋状のステントを示している図である。
【図２０】図２０は、側枝吻合部におけるステントを示している図である。
【図２１ａ】図２１ａは、側枝と幹部との吻合部を妨害することなく支持するために使用される改造されたＺ型ステントを示している図である。
【図２１ｂ】図２１ｂは、側枝と幹部との吻合部を妨害することなく支持するために使用される改造されたＺ型ステントを示している図である。
【図２１ｃ】図２１ｃは、側枝と幹部との吻合部を支持するためのループを備えている改造されたＺ型ステントを示している図である。
【図２１ｄ】図２１ｄは、側枝と幹部との吻合部の遠位面を支持するための非対称湾曲部を備えている改造されたＺ型ステントを示している図である。
【図２２ａ】図２２ａは、移植片に取り付けられ且つ側枝と幹部との吻合部を支持するように配置されている図２１ａ〜図２１ｂのステントを示している図である。
【図２２ｂ】図２２ｂは移植片に取り付けられ且つ側枝と幹部との吻合部を支持するように配置されている図２１ｃのステントを示している図である。
【図２３ａ】図２３ａは、側枝と幹部との吻合部の形状を維持するように設計されているステントの図である。
【図２３ｂ】図２３ｂは、側枝と幹部との吻合部の形状を維持するように設計されているステントの図である。
【図２３ｃ】図２３ｃは、側枝と幹部との吻合部の形状を維持するように設計されているステントの図である。
【図２３ｄ】図２３ｄは、側枝と幹部との吻合部の形状を維持するように設計されているステントの図である。
【図２３ｅ】図２３ｅは、側枝と幹部との吻合部に隣接している側枝の内側に固定されている図２３ａ〜２３ｄのステントを示している図である。
【図２３ｆ】図２３ｆは、側枝と幹部との吻合部に隣接している側枝の内側に固定されている図２３ａ〜２３ｄのステントを示している図である。
【図２４ａ】図２４ａは、図２３ａ〜２３ｄのステントを形成するための熱硬化性固定具の斜視図である。
【図２４ｂ】図２４ｂは、図２３ａ〜２３ｄのステントを形成するための熱硬化性固定具の平面図である。
【図２４ｃ】図２４ｃは、図２３ａ〜２３ｄのステントを形成するために使用されている熱硬化性固定具の一部分の斜視図である。
【図２４ｄ】図２４ｄは、図２３ａ〜２３ｄのステントを形成するために使用される熱硬化固定具の側面図である。
【図２５】図２５は、人工器官幹部から伸長している多数の人工器官側枝を示している図である。
【図２６】図２６は、人工器官幹部から伸長している多数の人工器官側枝を示している図である。
【図２７】図２７は、人工器官幹部から伸長している多数の人工器官側枝を示している図である。
【図２８ａ】図２８ａは内側螺旋状の側枝を示している図である。
【図２８ｂ】図２８ｂは内側螺旋状の側枝を示している図である。
【図２８ｃ】図２８ｃは内側螺旋状の側枝を示している図である。
【図２９】図２９は、内側螺旋状側枝に固定されているじゃま板を備えている人工器官の断面図である。
【図３０】図３０はポケット内の内側螺旋状側枝を示している図である。
【図３１】図３１は、ポケット内の内側螺旋状側枝の断面図である。
【図３２ａ】図３２ａは、１以上の螺旋状側枝を備えている胸郭人工器官モジュールを示している図。
【図３２ｂ】図３２ｂは、１以上の螺旋状の側枝を備えている胸郭人工器官モジュールを示している図。
【図３２ｃ】図３２ｃは、１以上の螺旋状の側枝を備えている胸郭人工器官モジュールを示している図。
【図３３】図３３は側枝及び開窓を備えている人工器官の斜視図である。
【図３４】図３４は側枝及び開窓を備えている人工器官の斜視図である。
【図３５】図３５は側枝及び開窓を備えている人工器官の斜視図である。
【図３６】図３６は側枝及び開窓を備えている人工器官の斜視図である。
【図３７】図３７は図２９〜３２の人工器官の骨格構造の図である。
【図３８】図３８は図２９〜３２の人工器官の骨格構造の図である。
【図３９】図３９は図３８の矢印Ａの方向の人工器官の図である。
【図４０】図４０は図３８の矢印Ｂの方向の人工器官の図である。
【図４１ａ】図４１ａは、側枝及び開窓を備えている大動脈人工器官の斜視図である。
【図４１ｂ】図４１ｂは、側枝及び開窓を備えている大動脈人工器官の斜視図である。
【図４１ｃ】図４１ｃは、側枝及び開窓を備えている大動脈人工器官の斜視図である。
【図４１ｄ】図４１ｄは、側枝及び開窓を備えている大動脈人工器官の斜視図である。
【図４２ａ】図４２ａは、側枝及び開窓を備えている大動脈人工器官の斜視図である。
【図４２ｂ】図４２ｂは、側枝及び開窓を備えている大動脈人工器官の斜視図である。
【図４２ｃ】図４２ｃは、側枝及び開窓を備えている大動脈人工器官の斜視図である。
【図４２ｄ】図４２ｄは、側枝及び開窓を備えている大動脈人工器官の斜視図である。
【図４３】図４３は、側枝が付けられた人工器官を配備するための装置を示している図である。
【図４４】図４４は、側枝が付けられた血管人工器官を配備するために使用される器具の一部分を示している図である。
【実施例】
【００２２】
血管側枝人工器官は、人工器官幹部に関して長手方向に沿って且つ周方向に設けられている人工器官側枝によって形成することができる。このような人工器官側枝は、“螺旋状”の人工器官側枝と称されている。側枝伸長部は、トロンボーニング（トロンボーン型の結合）によって螺旋状の人工器官側枝の遠位端に結合される。
【００２３】
人工器官側枝内の螺旋状の旋回は、人工器官側枝及び側枝伸長部間の連結部から人工器官幹部へと血流力をずらすことによって側枝伸長部にかかる力を減少させる。このことにより、側枝伸長部がこれらの力によって引っ張り出されるのが防止される。螺旋状の旋回はまた、人工器官幹部の半径方向の向き（“アクセス角度”）が広範囲に変化することも許容し且つ人工器官側枝又は側枝伸長部のよじれを防止する。この設計はまた、例えば層流を促進することによって血行動態を改良することもできる。
【００２４】
この説明の理解を補助するために以下の定義を規定する。
【００２５】
“人工器官“という用語は、身体の一部又は身体の一部の機能を置換するものを意味している。これは生理学系の機能を高めるか又は機能を追加する器具をも意味している。
【００２６】
“管腔内“という用語は、人間又は動物の体内の管腔の内側に見出されるか又は配置することができる対象物を示している。管腔は現存の管腔又は外科的介入によって形成された管腔である。該管腔としては、血管、胃腸管の一部、胆管のような脈管、呼吸器系の一部等がある。従って、“管腔内人工器官“はこれらの管腔のうちの一つの内側に配置させることができる人工器官である。
【００２７】
“ステント“という用語は、人工器官に堅牢性、拡張力又は支持力を付加する器具又は構造を意味している。Ｚ型ステントは、交互に変わる柱部と山部（即ち屈曲部）とを有しており且つ円筒形の管腔を規定しているステントである。Ｚ型ステントの“振幅”とは、単一の柱部によって結合されている２つの屈曲部間の距離のことである。Ｚ型ステントの“周期”とは、屈曲部の合計の数を２で割った数又は柱部の受け入れ部の数を２で割った数である。
【００２８】
“引き抜き力“という用語は、モジュール型の人工器官によって付与される部分的な又は最大の引き抜き力に対する最大抵抗力を意味している。２つの連結されたモジュールを有している人工器官の引き抜き力は、MTS Alliance RT/5（登録商標）引っ張り試験機（ミネソタ州イーデンプレーリーにあるMTS Corporation）によって測定することができる。ＭＴＳ試験機は、機械を制御しデータを集め且つ処理するために使用されるコンピュータ端末に接続されている。ＭＴＳ試験機の引っ張りアーム上に配置されているロードセルに加圧ポンプ装置が取り付けられている。人工器官の一端がこの加圧ポンプに結合され、加圧ポンプは人工器官が生体内に配備されたときに該人工器官に血液によってかけられる半径方向の圧力をシミュレートするために６０ｍｍＨｇの内部圧力をかける。人工器官の他端は密封される。人工器官は、人間の平均体温をシミュレートするために試験中は３７℃の水浴内に完全に浸漬される。ＭＴＳ機械は、人工器官が完全に分離するまで人工器官を０．１ｍｍずつ増加させて引っ張る。コンピュータは、とりわけ該人工器官モジュールが分離に耐える最も大きな力、すなわち引き抜き力を記録する。
【００２９】
“エンドリーク”という用語は、管腔内人工器官の周囲又は中の漏れを指している。エンドリークは、とりわけ、人工器官の生地を通して又はモジュール型人工器官の連結部を通して又は該人工器官の端部近くで生じる。エンドリークは動脈瘤の再加圧を生じさせる。
【００３０】
“血管側枝”という用語は、主要な血管から側枝している血管を指している。血管側枝の例としては大動脈（即ち、本明細書における主要血管）に対する血管側枝である腹腔動脈及び腎動脈がある。別の例として下腹動脈は、本明細書における主要血管である総腸骨動脈に対する血管側枝である。従って“血管側枝”と“主要血管”とは相対する用語であることがわかるはずである。
【００３１】
“人工器官幹部”という用語は、主要血管内を通る血液を迂回させる人工器官の一部分を指している。“幹部管腔”は該人工器官幹部を貫通して伸長している。
【００３２】
“人工器官側枝”という用語は、人工器官に吻合されており且つ血管側枝内へ流れ込み且つ／又は該血管側枝内を流れる血液を迂回させる人工器官の一部分を指している。
【００３３】
“周辺人工器官側枝”は、人工器官の側部に吻合されている人工器官側枝である。これは、“ズボンの脚部”側枝によってもたらされる人工器官側枝である“対側側枝”とは区別されている。この側枝は非対象であっても良い。すなわち、この２つの“脚部”は異なる直径又は長さを有することができる。
【００３４】
“側枝伸長部”という用語は、血管側枝内に配備され且つ人工器官側枝に接続することができる人工器官モジュールを指している。“螺旋状”又は“螺旋状に”という用語は、人工器官幹部の外周及び該幹部の長手方向に向けられている人工器官側枝を指している。“螺旋状”という用語は、規則正しい螺旋又は３６０°全周に亘る螺旋に限られない。
【００３５】
“長手方向に”という用語は、基準長手軸線とほぼ平行な方向、位置又は長さを指しており且つ螺旋状の向きの長さ方向成分である。
【００３６】
“外周に沿って”という用語は、基準長手軸線を取り巻く方向、位置又は長さを指しており且つ螺旋状の向きの半径方向成分である。外周は、３６０°全周に限定されていないし一定の半径に限定されてもいない。
【００３７】
“吻合部”という用語は、２つの管腔間の結合部、例えば、人工器官幹部及び２つの管腔を相互に流体連通状態にする人工器官側枝を指している。“吻合”という用語は、吻合部を形成するプロセスを指している。
【００３８】
“入射角”という用語は、人工器官側枝の長手軸線と吻合部内を長手方向に延びている人工器官幹部上の線との交差角度を指している。
【００３９】
“傾斜角”という用語は、吻合部において又はその近くで測定した、人工器官の長手軸線に対する人工器官側枝の平面外回転角度を指している。
【００４０】
“アクセス角”という用語は、人工器官の長手軸線を中心とする側枝された人工器官の半径方向の向きの許容可能な範囲を指している。該人工器官側枝の遠位小孔は、側枝伸長部が血管側枝内に適正に配備されて人工器官側枝との間に結合部を形成できるようにこの範囲に亘って血管側枝に十分近づけられる。
【００４１】
図１は、ｙ字形状で人工器官幹部１０に吻合されている人工器官側枝１２の概略図である。側枝伸長部１４は、人工器官側枝１２との間にトロンボーン型の結合を形成している。側枝伸長部１４は、人工器官幹部１０に対して４５°の角度１６で位置決めされていて、人工器官全体が載置される予定の解剖学的構造に適合するようになされている。側枝伸長部１４の角度１６は、血圧及び人工器官１２と側枝伸長部１４との中の血流のモーメントの結果として該側枝伸長部がｙ方向の力１５を支えるようにしている。
【００４２】
側枝伸長部１４と人工器官側枝１２との間に結合は摩擦力によって維持されている。従って、側枝伸長部１４によって支えられるｙ方向の力が前記結合を維持している摩擦力を超えると、側枝伸長部１４は側枝１２から分離する。分離すると人工器官側枝１２と人工器官幹部１０とを包囲している領域の再加圧が生じ得るので、これは患者にとって危険な結果となる。
【００４３】
図２は本発明の一つの実施例の概略図である。この実施例においては、人工器官側枝２２は人工器官幹部２０に吻合されている。側枝伸長部２５は人工器官側枝２２との間にトロンボーン型の結合を形成している。側枝伸長部２５は、人工器官幹部２０に対して約６０〜７０°の角度２４で配置されていて人工器官全体が載置される予定とされている解剖学的構造に適合しているが、あらゆる適切な角度で配置することができる。人工器官側枝２２は、人工器官幹部２０の周囲を旋回して部分的な螺旋形状を形成している。
【００４４】
人工器官側枝２２の角度２４は、ちょうど図１の人工器官と同様に、側枝２２内を流れる血流のモーメント及び生理学的な血圧の結果として、ｙ方向へ流れる力を形成する。しかしながら、図１とは異なり、人工器官側枝２２は、これらのｙ方向の力の多くを支え且つ人工器官幹部２０への取り付け部２７によって支持される。従って、取り付け部２７は、連結部２１及び人工器官側枝２２上に配置される荷重の代わりにｙ方向の力の少なくとも一部を負担する。このことにより、分岐した人工器官において知られている一般的な障害を防止する。人工器官の伸長モジュール２５は、人工器官側枝２２とのトロンボーン型の連結部を形成することができる。
【００４５】
図３ａは本発明の別の実施例を示している。この実施例は、他の血管にも適用できるが、左腸骨動脈内へ配備し且つ左下腹動脈内へ分岐させるのに適している。右腸骨動脈内へ配備するのに適している実施例は、図３ａの人工器官４０の長手方向鏡像とすることができる。人工器官４０は、人工器官幹部４２と周囲の人工器官側枝４４とを備えている。この人工器官４０及び本明細書に記載されているその他のもの用として、人工器官側枝４４は、図示されているように人工器官幹部４２の前方で湾曲しているのが好ましいが、代替例として人工器官幹部４２の後方で湾曲していても良い。人工器官側枝４４は吻合部４６を介して人工器官幹部４２と流体連通している。吻合部４６は、図示されているように漏斗管すなわち漏斗形状とされるのが好ましい。これは典型的な生理学的吻合とよく似ており且つ人工器官側枝４４内への流れの血行動態を改良する。人工器官側枝４４は、人工器官幹部４２に縫合されて血液密シールを形成しているのが好ましい。人工器官幹部の近位端は、以下に説明する人工器官４０の配備を容易にするために内部へのホタテ貝状の切断部を有している。
【００４６】
人工器官幹部４２は、綾織りからなり且つ多孔率が約３５０ml／分／cm２のポリエステル織布（英国スコットランドのレンフルーシアにあるVascutek（登録商標）Ltd.,から入手可能である）によって作られるのが好ましい。人工器官幹部４２と人工器官側枝４４とはまた、少なくとも生体適合性のあらゆる他の材料によって作ることもできる。このような材料としては、例えば他のポリエステルの織物、ポリテトラフルオロエチレン（ＰＴＦＥ）、延伸ＰＴＦＥ及び当業者に公知の他の合成材料がある。コラーゲンのような天然生体材料、特に小腸管粘膜下組織（ＳＩＳ）のような細胞外基質（ＥＣＭ）として知られている誘導コラーゲン材料もまた極めて望ましい。ＥＣＭの他の例としては、心膜、胃粘膜下組織、肝臓基膜、膀胱粘膜下組織、組織粘膜下組織及び硬膜がある。ＳＩＳは、特に有用であり、Badylakらの米国特許第４，９０２，５０８号、Carrの米国特許第５，７３３，３３７号、Cookらの米国特許第６，２０６，９３１号、Fearnotらの米国特許第６，３５８，２８４号、17 Nature Biotechnology 1083（１９９９年９月号）及びＰＣＴ／ＵＳ９７／１４８５５の公開出願であるCookらによる１９９８年５月２８日のＷＩＰＯ国際公開ＷＯ９８／２２１５８に記載されている形態で作ることができる。これらの参考文献はこれらに言及することにより全てが参考として本明細書に組み入れられている。この材料は生理学的な力によって漏れないか又は滲出しないように非多孔質である。
【００４７】
移植片材料は、生体適合性材料からなる多孔質ポリマーをも含んでいる。多孔質シートを形成することができる生体適合性ポリマーの例としては、ポリ（エチレンテレフタレート）、ポリラクチド、ポリグリコライド及びこれらの共重合体のようなポリエステル、ポリテトラフルオロエチレン（ＰＴＦＥ）、延伸ＰＴＦＥ（ｅＰＴＦＥ）及びポリ（フッ化ビニリデン）のようなフッ化ポリマー、ポリジメチルシロキサンの含むポリシロキサン並びにポリエーテルウレタン、ポリウレタン尿素樹脂、ポリエーテルウレタン尿素樹脂、炭素結合を含んでいるポリウレタン及びシロキサン区分を有するポリウレタンを含むポリウレタンがある。更に、本質的には生体適合性ではない材料は、該材料を生体適合性にするために表面改質を施すことができる。表面改質の例としては、材料表面から生体適合性ポリマーをグラフト重合させること、表面を架橋された生体適合性ポリマーでコーティングすること、生体適合性の官能基による化学的改質させること、へパリン又はその他の物質のような親和剤を固定化することがある。従って、多孔質シート内に形成されるあらゆるポリマーが、最終的な多孔質材料が生体適合性であるという条件で移植片材料を作るために使用できる。多孔質シートに形成することができるポリマーとしては、上に列挙したポリエステル、フッ化ポリマー、ポリシロキサン、ポリウレタンに加えて、ポリオレフィン、ポリアクリロニトリル、ナイロン、ポリアミド、及びポリスルフォンがある。多孔質シートは、生体適合性にするための処理又は改質を必要としない１以上のポリマーによって作られるのが好ましい。該多孔質シートは、生体適合性ポリウレタンを含んでいることが更に好ましい。生体適合性ポリウレタンの例としては、Thoralon（登録商標）（カリフォルニア州プレザントンにあるThoratec）、Biospan（登録商標）、Bionate（登録商標）、Elasthane（登録商標）、Pursil（登録商標）、Carbosil（登録商標）（カリフォルニア州バークレイにあるPolymer Technology Group）がある。
【００４８】
多孔質ポリマーシートは、ポリウレタンであるThoralon（登録商標）を含んでいるのが好ましい。本明細書に組み入れられている米国特許出願公開第２００２／００６５５５２Ａ１号に記載されているように、Thoralon（登録商標）はシロキサン含有表面改質添加剤を配合したポリエーテルウレタン尿素樹脂である。特に、このポリマーは基本ポリマーＢＰＳ−２１５と添加剤ＳＭＡ−３００との混合物である。添加剤の濃度は、基本ポリマーの０．５〜５重量％の範囲内とすることができる。ＢＰＳ−２１５という構成要素（Thoratec）は、軟質部分と硬質部分とを含んでいる区分化ポリエーテルウレタンである。軟質部分は酸化ポリテトラメチレン（ＰＴＭＯ）によって作られ、硬質部分は４，４’−ジフェニルメタンジイソシアネート（ＭＤＩ）とエチレンジアミン（ＥＤ）との反応によって作られる。ＳＭＡ−３００構成要素（Thoratec）は、軟質部分としてのポリジメチルシロキサンと、硬質部分としてのＭＤＩと１，４−ブタネジオルとの反応生成物とを含んでいるポリウレタンである。ＳＭＡ−３００を合成するプロセスは、例えば、米国特許第４，８６１，８３０号及び第４，６７５，３６１号に記載されており、これらの米国特許はこれらに言及することによって本明細書に組み入れられている。多孔質ポリマーシートは、基本ポリマーと添加剤とをジメチルアセトアミド（ＤＭＡＣ）のような溶媒内で溶解し且つ基本ポリマーと添加剤とに対する非溶媒である液体内で溶液流延させるか又は凝固させることにより固めることによって上記の２つの構成成分によって形成することができる。
【００４９】
Thoralon（登録商標）は、ある種の脈管用途において使用されており且つ耐血栓性、高い引張り強度、低い水分吸収率、低い臨界表面張力及び良好な屈曲寿命を特徴としている。Thoralon（登録商標）は、生体安定性であり且つ生体安定性及び耐漏れ性を必要とする長期に亘る血液接触用途において生体内で有用であると考えられている。Thoralon（登録商標）は、その可撓性により、弾性及びコンプライアンスが有益である腹大動脈のような比較的大きな血管内で有用である。
【００５０】
Thoralon（登録商標）の他に、他のポリウレタンも多孔質性シートとして使用することができる。例えば約１．０〜約２．５の範囲のＭＤＩ／ＰＴＭＯモル比を有するＢＰＳ−２１５構成要素を使用することができる。このようなポリウレタン尿素樹脂は、軟質部分とジイソシアネート及びジアミンによって形成された硬質部分とを含んでいるのが好ましい。例えば、ポリエチレンオキシド、ポリプロピレンオキシド、ポリカーボネート、ポリオレフィン、ポロシロキサン（即ち、ポリジメチルシロキサン）及び比較的高い同族列のジオールによって作られたその他のポリエーテル軟質成分を備えたポリウレタン尿素樹脂を使用しても良い。これらの軟質部分のいずれかの混合物を使用しても良い。軟質部分はまたアルコール末端基かアミン末端基かを有していても良い。これらの軟質部分の分子量は約５０から約５，０００ｇ／モルまで変化しても良い。
【００５１】
硬質部分の構成要素として使用されるジイソシアネートは、式ＯＣＮ−Ｒ−ＮＣＯによって表わすことができる。ここで、−Ｒ−は脂肪族、芳香族、脂環族の成分と芳香族成分との混合物である。ジイソシアネートの例としては、テトラメチレンジイソシアネート、ヘキサメチレンジイソシアネート、トリメチルヘキサメチレンジイソシアネート、テトラメチルキシレンジイソシアネート、４，４’−ジシクロヘキシルメタンジイソシアネート、ダイマー酸ジイソシアネート、イソホロンジイソシアネート、メタキシレンジイソシアネート、ジエチルベンゼンジイソシアネート、デカメチレン１，１０ジイソシアネート、シクロヘキサン１，２−ジイソシアネート、２，４−トルエンジイソシアネート、２，６−トルエンジイソシアネート、キシレンジイソシアネート、ｍ−フェニレンジイソシアネート、ヘキサヒドロトリレンジイソシアネート、（及び異性体）、ナフチレン−１，５−ジイソシアネート−ｅ、１−メキシルフェニール２，４−ジイソシアネート、４，４’−ビフェニレンジイソシアネート、３，３−ジメトキシ−４，４’−ビフェニレンジイソシアネート、３，３−ジメトキシ−４，４’−ビフェニルジイソシアネート及びこれらの混合物がある。
【００５２】
該硬質部分の構成要素として使用されるジアミンとしては、脂肪族アミン、芳香族アミン及び脂肪族成分と芳香族成分との両方を含んでいるアミンがある。例えば、ジアミンとしては、エチレンジアミン、プロパンジアミン、ブタンジアミン、ヘキサンジアミン、ぺンタンジアミン、ヘプタンジアミン、オクタンジアミン、ｍ−キシレンジアミン、１，４−シクロヘキサンジアミン、２−メチペンタメチレンジアミン、４，４’−メチレンジアニリン及びこれらの混合物がある。アミンはまた、その構造内に酸素原子及び／又はハロゲン原子を含んでいても良い。
【００５３】
ポリウレタン尿素樹脂に加えて、他のポリウレタン好ましくはジオールによって伸ばされた鎖を有するものを多孔質シートとして使用しても良い。陽イオン側鎖、陰イオン側鎖及び脂肪族側鎖によって改質されたポリウレタンも使用できる。例えば米国特許第５，０１７，６６４号を参照のこと。ポリウレタンは、ジメチルホルムアルデヒド、テトラヒドロフラン、ジメチルアセトアミド、ジメチルスルホキシド又はこれらの混合物のような溶媒内で溶解される必要があるかも知れない。
【００５４】
これらのポリウレタンの軟質部分は、上記した軟質部分のいずれか例えばポリテトラメチレンオキシド、ポリエチレンオキシド、ポリプロピレンオキシド、ポリカーボネート、ポリオレフィン、ポリシロキサン（すなわち、ポリジメチルシロキサン）、比較的高い同族列のジオールによって作られた他のポリエーテル軟質部分及びこれらの軟質部分の混合物を含んでいても良い。この軟質部分は、アミン末端基又はアルコール末端基を有していても良い。
【００５５】
硬質部分は、上に列挙したジイソシアネートのうちのいずれか、例えば、４，４−ジフェニルメタンジイソシアネート、テトラメチレンジイソシアネート、ヘキサメチレンジイソシアネート、トリメチルヘキサメチレンジイソシアネート、トリメチルキシレンジイソシアネート、４，４’−ジシクロヘキシルメタンジイソシアネート、ダイマー酸ジイソシアネート，イソホロンジイソシアネート、メタキシレンジイソシアネート、ジエチルベンゼンジイソシアネート、デカメチレン１，１０ジイソシアネート、シクロヘキサン１，２−ジイソシアネート、２，４−トルエンジイソシアネート、２，６−トルエンジイソシアネート、キシレンジイソシアネート、ｍ−フェニレンジイソシアネート、ヘキサヒドロトリレンジイソシアネート（及び異性体）、ナフチレン１，５−ジイソシアネート、１−メトキシフェニル２，４−ジイソシアネート、４，４’−ビフェニレンジイソシアネート、３，３−ジメトキシ−４，４’−ビフェニルジイソシアネート及びこれらの混合物によって作ることができる。
【００５６】
硬質部分は、１以上のポリオールによって作ることができる。ポリオールは、脂肪族、芳香族、脂環族とすることができ又は脂肪族成分と芳香族成分との混合物を含んでいても良い。例えばポリオールは、エチレングリコール、ジエチレングリコール、トリエチレングリコール、１，４−ブタンジオール、ネオペンチルアルコール、１，６−ヘキサネジオール、１，８−オクタネジオール、プロピレングリコール、２，３−ブチレングリコール、ジプロピレングリコール、ジブチレングリコール、グリセロール又はこれらの混合物とすることができる。
【００５７】
更に、ポリウレタンもまた、例えばポリジメチルシロキサン、フルオロポリマー、ポリオレフィン、ポリエチレンオキシド又はその他の適切な基のような表面活性末端基によってエンドキャップされていても良い。例えば、本明細書に参考として組み込まれている米国特許第５，５８９，５６３号に開示されている表面活性末端基を参照のこと。
【００５８】
多孔質ポリマーシートは、シロキサン−ポリウレタンとも称されるシロキサン部分を有しているポリウレタンを含んでいても良い。シロキサン部分を含んでいるポリウレタンの例としては、ポリエーテルシロキサン−ポリウレタン、ポリカーボネートシロキサンーポリウレタン及びシロキサン−ポリウレタン尿素樹脂がある。特に、シロキサン−ポリウレタンの例としては、Elast-Eon2（登録商標）及びElast-Eon3（登録商標、オーストラリアのビクトリアにあるAortech Baiomaterials）、ポリテトラメチレンオキシド（ＰＴＭＯ）及びポリジメチルシロキサン（ＰＤＭＳ）ポリエーテル系芳香族シロキサン−ポリウレタン例えばPursil（登録商標）-10、-20及び-40 TSPU、Pursil AL-5（登録商標）及びAL-10 TSPU（登録商標）のようなＰＴＭＯ及びＰＤＭＳポリエーテル系脂肪族シロキサン−ポリウレタン、Carbosil（登録商標）-10、-20及び-40 TSPU（全てがPolymer Technology Groupから入手可能である）がある。Pursil（登録商標）、Pursil-AL（登録商標）及びCarbosil（登録商標）は、軟質部分にシロキサンを含んでいる熱可塑性エラストマーウレタン共重合体であり、この共重合体のシロキサンのパーセントは等級名で呼ばれている。例えば、Pursil-10（登録商標）は１０％のシロキサンを含んでいる。これらのポリマーは多段階バルク合成によって合成される。多段階バルク合成においては、ＤＤＭＳがＰＴＭＯ（Pursil）（登録商標））又は脂肪族ヒドロキシ末端ポリカーボネート（Carbosil（登録商標））を有するポリマーの軟質部分内に混和される。硬質部分は、芳香族ジイソシアネートであるＭＤＩの低分子量のグリコール連鎖延長剤との反応生成物からなる。Pursil-AL（登録商標）の場合には、硬質部分は芳香族ジイソシアネートから合成される。次いで、ポリマー鎖がシロキサン又はその他の表面改質末端基によって末端処理される。シロキサン−ポリウレタンは、典型的には比較的低いガラス変態温度を有しており、これは多くの一般的な材料と比較して高い柔軟性を有するポリマー材料を提供する。更に、シロキサン−ポリウレタンは、改良された環境応力亀裂抵抗を含む高い加水分解及び酸化安定度を呈する。シロキサン−ポリウレタンの例は、本明細書に参考として組み入れられている米国特許出願公開第２００２／０１８７２８８Ａ１号に開示されている。
【００５９】
多孔質のポリマーシートは、ポリテトラフルオロエチレン又は延伸ポリテトラフルオロエチレン（ｅＰＴＦＥ）を含んでいても良い。ｅＰＴＦＥからなるフィルム又はシートは、典型的には更に処理する必要なく多孔質である。ｅＰＴＦＥの構造は、微小繊維によって相互に結合されている節（ノード）を含むことを特徴としている。多孔質のｅＰＴＦＥは、例えばＰＴＦＥを有機潤滑剤と混ぜ合わせて比較的低い圧力で圧縮することによって形成することができる。次いで、圧縮したポリマーをラム押出機を使用してダイから押し出し、乾燥させるか又はその他の抽出方法によって押し出したポリマーから潤滑剤を除去する。乾燥させた材料は、次いで高温で迅速に延伸させ且つ／又は拡げる。このプロセスは、微小繊維によって相互に連結された細長い節を特徴とする微細構造を有しているｅＰＴＦＥのためのものである。典型的には、これらの節は延伸方向に直角な長手軸線方向に配向される。延伸後に、この多孔質のポリマーは材料をその延伸状態に維持しつつその融点より高い温度まで加熱することによって焼結される。これは、微細構造をその拡張形態又は延伸形態に恒久的に固定化するためのアモルファス固定化工程であると考えることができる。ｅＰＴＦＥの構造及び多孔率は、例えば米国特許第６，５４７，８１５  Ｂ２号、第５，９８０，７９９号、第３，９５３，５６６号に開示されており、これらは全てこれらに言及することによって本明細書に組み入れられている。多孔質で中空の繊維の構造はＰＴＦＥによって作ることができ、これらの多孔質の中空繊維は、寄せ集めて凝集した多孔質シートを提供することができる。ＰＴＦＥを含んでいる多孔質の中空繊維は例えば米国特許第５，０２４，６７１号に開示されており、該米国特許はこれに言及することにより本明細書に参考として組み入れられている。
【００６０】
ポリマーは、標準的な処理方法を使用して処理することにより多孔質シートとすることができる。標準な処理方法としては、流し込み成形、吹き付け塗り、浸漬成形のような溶媒に基づく方法及び溶融押出方法がある。多孔質シートを処理するために、処理中に抽出可能な細孔形成剤を使用することができる。抽出可能な細孔形成剤の例としては、塩化カリウム（ｋｃｌ）及び塩化ナトリウム（Ｎａｃｌ）のような無機塩類、有機塩類並びにポリ（エチレングリコール）（ＰＥＧ）及びポリビニルピロリドン（ＰＶＰ）のようなポリマーがある。細孔形成剤は、約１０μｍ〜約５００μｍ、約２０μｍ〜約１００μｍ、約１０μｍ〜約４０μｍの粒子サイズを有することができる。ポリマーに対する細孔形成剤の量は、約２０重量％（ｗｔ％）〜約９０重量％、約４０重量％〜約７０重量％とすることができる。このような細孔形成剤の大きさ及び量は、細孔形成剤の抽出に従う高い多孔率をもたらすことができる。多孔率は、最終製品の約２０重量％〜約９０重量％及び約４０重量％〜約７０重量％とすることができる。
【００６１】
多孔質シートは、孔同士が連結されている微孔質連続気泡構造の形態とすることができる。微孔構造は、ポリマーと１以上の発泡剤との混合物を押し出すことによって形成することができる。微孔質ポリマー発泡材は、高温高圧下でポリマーに超臨界ＣＯ２を曝してポリマーを超臨界ＣＯ２に含浸させ、次いで該ポリマーを冷却することによって製造することができる。微孔質発泡材は、例えば米国特許第４，４７３，６６５号及び第５，１６０，６７４号に記載されているようにして製造することができる。これらの米国特許は、これらに言及することによって本明細書に参考として組み入れられている。発泡プロセスは、最初に圧力下で窒素又はＣＯ２のような不活性ガスをポリマー内に溶解し、次いで圧力又は温度を変えることによってポリマー内のガスの溶解度を急速に低下させて、熱力学的不安定性を誘発することで微孔を形成することによって、押し出されたチューブ上で行なうことができる。微孔質ポリマー構造の例は、例えば米国特許第６，７０２，８４９Ｂ１号に開示されている。該特許はこれに言及することにより本明細書に参考として組み入れられている。
【００６２】
多孔質Thoralon（登録商標）は、ポリエーテルウレタン尿素樹脂、表面改質添加剤及び粒状物質を溶媒内で混ぜ合わせることによって形成することができる。粒子は溶媒に対して不溶性であるのが好ましく、粒子は種々の粒子又は細孔形成剤のいずれとすることもできる。例えば、溶媒はＤＭＡＣとすることができ、粒子は無機塩類とすることができる。該組成物は約５重量％〜約４０重量％のポリマーを含むことができ、この範囲に含まれる種々のレベルのポリマーを所定の方法において必要とされる粘度となるように細かく調整するために使用することができる。該組成物は、幾つかの吹き付け塗り方法の実施例においては５重量％未満のポリマーを含むことができる。これらの粒子は組成物内へ混ぜられる。混合は、例えば大気圧下で約１８℃〜約２７℃の温度範囲で約１時間回転ブレード型ミキサーによって行うことができる。組成物全体がシートとして流し込み成形されるか又は心棒若しくは型のような部材上に塗布される。一つの例においては、該組成物は乾燥されて溶媒が除去され、乾燥された材料は、次いで蒸留水浴内に浸漬されて粒子が溶解され且つ材料内に細孔が残される。別の例においては、組成物は蒸留水の浴内で凝固される。ポリマーは水に溶けないので急速に固化して粒子の一部又は全てを捕捉する。粒子は次いでポリマーから溶解されて材料内に細孔が残される。抽出のために温水例えば約６０℃の温水を使用することが望ましい。結果的に得られるボイド対体積の比率は、ポリマーと塩類との合計体積に対する塩類の比率にほぼ等しい。結果的に得られる細孔の直径もまた塩類の粒径にほぼ等しい。
【００６３】
多孔質のポリマーシートは、約０．４０〜約０．９０のボイド対体積比を有することができる。このボイド対体積比は、約０．６５〜約０．８０であるのが好ましい。ボイド対体積比は、細孔の体積をある体積の細孔を含んでいるポリマー層の全体積によって割ったものとして規定される。ボイド対体積比は、ＡＡＭＩ（Association for the Advancement of Medical Instrumentation（医療器具開発協会））ＶＰ２０−１９９４、Cardiovascular Implants--Vascular Prosthesis（心臓血管インプラント−血管内人工器官）第8.2.1.2章、Gravimetric Determination of Porosity（多孔率の重量による測定方法）に記載されているプロトコルを使用して測定することができる。ポリマー内の細孔の平均細孔径は、約１ミクロン〜約４００ミクロンである。この平均細孔径は、約１ミクロン〜約１００ミクロンであるのが好ましく、約１ミクロン〜約１０ミクロンであるのが更に好ましい。平均細孔径は、走査電子顕微鏡（ＳＥＭ）による像に基づいて測定される。多孔質Thoralon（登録商標）の形成は、例えば米国特許第出願公開第２００３／０１１４９１７Ａ１号及び第２００３／０１４９４７１Ａ１号に説明されている。これらの出願公開は、これらに言及することにより本明細書に参考として組み込まれている。
【００６４】
人工器官側枝４４は、必須ではないが、側枝伸長部に結合されるのが好ましい。人工器官側枝４４と側枝伸長部５５とは相補形の環状の襞を備えているのが好ましい。この襞によって捩れるおそれが減少し人工器官の開存性を維持する補助となる。トロンボーン型の連結部における相補形の襞又はその他のタイプの突出部もまた密封を維持し且つ引張り出しを防止する補助となる。互いに重なり合っているモジュール上の相補形の突出部は、相互に係合して、対向している接触面間の面接触力を最大にする。人工器官側枝４４及び側枝伸長部５５もまた部分的にのみ襞が付けられていても良い。
【００６５】
図３ａに示されている襞は、人工器官側枝４４を例えばほぼ同じ直径の心棒上に取り付けることによって形成される。人工器官側枝４４の周囲に、糸、ワイヤー又はその他のフィラメントが螺旋状に巻き付けられている。ここに示されているアセンブリは、次いで８時間に亘って１３８℃の温度まで加熱される。他の温度とすることもできる。典型的には、温度が高ければ高いほど、適切な襞付けに必要とされる時間は短くなり低ければ低いほど長くなる。このことにより、人工器官の包囲されている部分に螺旋状の湾曲が誘起される。環状の襞はまた、人工器官側枝４４に環状のフィラメントを取り付けること及びこのプロセスの他のステップを行なうことによっても形成することもできる。襞の山部同士は、好ましくは１０ｍｍ当たり５個の湾曲山部が存在するように適当な距離だけ隔てることができる。襞が付けられた連結部と襞を形成するための方法とは、２００４年１０月８日に出願された“連結可能なモジュールを備えた管腔内人工器官（Endoluminal Prosthesis with lnterconnectable Modules）”という名称の米国特許出願第１０／９６２，００１号（米国特許出願第２００５／０１１３９０５号）に更に詳しく説明されている。この出願はこれに言及することにより本明細書に組み入れられている。
【００６６】
人工器官モジュール４０の好ましい大きさ及び形状は、移植される場所の解剖学的構造と、この人工器官モジュール４０が結合される対応するモジュールとに依存する。生理学的変数、配備特性及びその他の要因もまた人工器官幹部の適正な大きさ及び形状の決定の一因となる。人工器官幹部４２は、腸骨動脈内に配備されるように設計されている場合には、図示されているようにその全長に亘って直径が１２ｍｍであるのが好ましいが、テーパー、旋回又はその他の適切な幾何学構造を有していても良い。本明細書に記載されている人工器官のいずれの寸法も単に例示として提供されたものであり、特定の患者の解剖学的構造に適合するように変えられるのが好ましい。
【００６７】
ステント５０，５２，５３は、人工器官の開存性を維持し且つ周囲の血管組織に対する適切な密封を確保する。ステントの設計及び配置の一つ目的は、それが内側用のものであるか外側用のものであるかに拘わらず、金属間の接触を防止し、異種合金間の接触を防止し、微細動作を最少化することである。ステントの大きさ、間隔及び設計は、蛇行する解剖学的構造内においても、ステント同士の接触が無いように決定されるべきである。ステントは開存性を維持すると共に材料の摩耗及びステントの材料疲労を減じつつ人工器官の可撓性を最大化するように配置されるのが好ましい。更に、ステントは、人工器官側枝と干渉しないこと及び電解腐食の可能性を最少にし且つ適切な継ぎ目の安定性を確保することが好ましい。ステントの振幅、間隔、及びぐらつきは各人工器官の設計に対して最適化するのが好ましい。ここに記載されているステントのいずれもが、人工器官の移動を小さくすることの補助となる逆棘部を有している。
【００６８】
Ｚ型ステントの構造は大動脈の真直ぐな部分にとって好ましく、これは、重要な半径方向の力と何らかの長手方向の支持との両方を付与する。蛇行する解剖学的構造、側枝又は吻合においては、代替的なステント又はＺ型ステントの設計に対して改造を加えたものを使用してステント同士の接触を避けることが好ましい。更に複雑な解剖学的構造の場合においては、外側ステントは、血管側枝へのアクセス、密封、固定を確保するために使用されるワイヤー及びその他の器具と撚り合わせられる状態となる可能性を有している。幾つかの例においては、ステントのうちの幾つかを人工器官の内側面に固定することが望ましい。ここに記載されているＺ型ステントは、標準的な医療用等級のステンレス鋼によって作られ且つ標準的な銀蝋（鉛ゼロ／錫ゼロ）を使用して蝋付けされるのが好ましく、その他のステントは、ニチノール又はその他の形状記憶金属によって作られる。
【００６９】
図３ａに示されているように、ステント５０，５２、５３は、内側５０及び外側５２，５３の両方において人工器官４０に固定されるのが好ましい。図示されているように１４ゲージか１６ゲージのGianturco型のＺ型ステント（インディアナ州ブルーミントンにあるCook Incorporatedから市販によって入手可能である）が採用されるのが好ましい。ステント５０，５２、５３は、山部同士間で測定して４ｍｍの間隔であるのが好ましい。山部５９は、相対的な接触が最も少ないように互いにずらされているのが好ましい。ステント５０，５２は、振幅４１が１４ｍｍであるのが好ましい。吻合部４６に最も近いステント５３の振幅は、吻合部４６の近くを除いて２２ｍｍであるのが好ましく、吻合部４６の近くでは、振幅は吻合部４６と干渉しないように１１ｍｍであるのが好ましい。このステント５３は内側に固定されている。これらのステントは自己拡張型であるのが好ましいが、１つ以上はバルーン拡張型であっても良い。
【００７０】
少なくとも一つのステント（図示せず）が人工器官側枝４４と関連付けられており、これは、人工器官側枝４４の近くの継ぎ目４７のすぐ下方に取り付けられるのが好ましい。このステントは、吻合部４６を開口状態に保つために且つ人工器官側枝４４が曲げられるときのねじれを防止するために使用されている。Prolene（登録商標）５−０縫合糸（図示せず）が遠位の密封ステント５０のために使用されるのが好ましく、一方、他の全てのステント５２，５３に対しては、ポリエステル４−０縫合糸（図示せず）が使用される。これら２つの一般的な縫合糸は支柱部５７の各々に結び付けられるのが好ましく、各山部５９に一本の縫合糸が結び付けられるのが好ましい。
【００７１】
人工器官側枝４４の入射角は約２０°〜約６０°であるのが好ましく、人工器官幹部４２に対しては約４５°であるのが更に好ましい。吻合部４６における傾斜角は約０°〜約３０°であるのが好ましい。人工器官側枝４４は、吻合部約４６から約４ｍｍの距離より近づかない位置で３つの隔置された縫合糸（図示せず）によって人工器官幹部４２にしっかりと固定されるのが好ましい。
【００７２】
以下において更に詳細に説明するように、この人工器官を配備するために標準的な管腔内技術が使用できる。荷重に関する問題により２０フレンチのような比較的大きなシースの使用を認可できない状態では、１８フレンチのシースが使用される。人工器官がＸ線透視法によって監視される場合には、移植片の向きを補助するために標準的なＸ線不透過性の金マーカー（インディアナ州ブルーミントンにあるCook Incorporated）が使用されるのが好ましい。
【００７３】
図３ｂは、図３ａ人工器官４０の代替的な斜視図である。この図は、吻合部４６の形状を示している。吻合部４６の大きさ及び形状は、層流及びその他の確実な血行動態特性を促進する。この種の吻合部を形成する方法を図５に関して以下に説明する。
【００７４】
人工器官４０が埋め込まれた後に、人工器官側枝４４の遠位の小孔５４は、主要血管と血管側板との間の吻合部の近くに位置決めされるのが好ましい。次いで図３ｃに示されている側枝伸長部５５を人工器官側枝４４との間にトロンボーン型の結合を形成するように埋め込むことができる。密封連結を促進するためには、人工器官側枝４４の遠位小孔５４と側枝伸長部５５との間の連結部に１ｍｍ以下の直径差があることが好ましい。側枝伸長部５５は、対応する襞４８同士の間のシール又は嵌合と干渉する可能性がより少ないステント好ましくは内部ステントを備えている。側枝伸長部５５はまた、適正な大きさのViabahn（登録商標）管腔内人工器官（デラウェア州ニューアークにあるW. L. Gore & Associates, Inc.,）、Fluency（登録商標）自己拡張型ニチノールステント移植片（アリゾナ州テンピにあるBard）又はiCast（登録商標）カバー付きステント（ニューハンプシャー州ハドソンにあるAtrium）とすることができる。この側枝伸長部の一端又は両端はニチノール製のリング又はコイルを備えており、近位側のリング又はコイルは図１７の螺旋状側枝内の対応するニチノール製のリング又はコイルと係合するのが好ましい。このステントは、ＰＴＦＥ、eＰＴＦＥ、ポリエステル織布、Thoralon（登録商標）又はその他の材料によって覆われるか又は覆われていないか又は部分的に覆われることができる。これらのステントは自己拡張型とするか又はバルーン拡張型とすることができる。
【００７５】
図４ａは人工器官幹部６２と人工器官側枝６４とを備えている人工器官６０の上面図である。この人工器官６０は、右総腸骨動脈内及び右下腹動脈への側枝内に配備されるように設計されているが、他の血管内へ配備できるようにすることもできる。人工器官側枝６４は、人工器官幹部６２の外側表面に沿って長手方向且つ周方向に、すなわち長手軸線７５を中心とする螺旋形態で配置されている。図４ａに示されている人工器官側枝６４は、図４ａに示されているように、吻合部の中心点７７から遠位小孔６５の中心点までを測定した場合に、人工器官幹部６２を中心に１９５°の（すなわち半円周より大きい）旋回を形成している。この図は、人工器官側枝６４の遠位小孔６５が３０°斜めに切られていることを示している。このことによりアクセス角が増大され且つ側枝伸長部の挿入が容易にされる。図４ａの人工器官６０の側面図が図４ｂ及び４ｃに示されている。人工器官６０は、人工器官幹部６２の近くに３つの外側Ｚ型ステント６６を備えている。人工器官の骨格構造図である図４ｃは、吻合部６８を跨っている内側Ｚ型ステント７０と遠位の先端７４上の内側ステント７２とを示している。図５ａ〜５ｄには、大きな吻合部６８を形成するための一つの方法が示されている。吻合部に隣接しているＺ型ステント７０は、移植片の内側又は外側に取り付けられている。人工器官幹部６２の可撓性は、人工器官幹部６２のステント間の織地に環状又は螺旋状の襞を付けることによって増大される。
【００７６】
図５ａは、拡大された又は“涙滴形状”の吻合部を形成する方法を示している。人工器官側枝８０のための原材料は、典型的には、ポリエステルからなる人工器官織布のチューブ状の断片である。ある長さを有するこのチューブ状人工器官織布はまた近位端８４に向かってラッパ状に広がっている。人工器官側枝８０の近位端８４は、図示されているように、人工器官側枝８０の長手軸線に対して直角に切断するか又は斜めに切断するか若しくは別の形状とすることができる。人工器官側枝８０の近位端８４は線８２に沿って切断されている。線８２はチューブの軸線と平行である必要はない。次いで、図５ｂに示されているように、近位端８４は外側に広げられる。外側に広げた後に、続いて近位端８４は更に図５ｃに示されている新しい外周８６を形成するように更に整形される。図５ｂに示されている近位端８４の広げられた外周８９は、図５ｄに示されているように、広げられた外周８９に適合する形状及び大きさの人工器官幹部８８の吻合部（図示せず）の外周に縫い付けられるのが好ましい。継ぎ目は血液に対して液密であるのが好ましい。この吻合部は、人工器官側枝８０を斜めに向けるために、人工器官幹部８８の軸線に対してどのような向きにむけることもできる。次いで、人工器官側枝８０は、人工器官幹部８８に対して長手方向且つ周方向に位置決めされるように人工器官幹部８８に取り付けられるのが好ましい。
【００７７】
図６ａは人工器官９０を示しており、該人工器官からは２つの螺旋状の周辺人工器官側枝９２，９４が伸長している。この人工器官は、人工器官側枝９２，９４が腎動脈へと伸長できるように動脈内に位置決めされるように設計されているが、この人工器官の構造は他の血管内で使用できるようにすることもできる。次いで、側枝伸長部は人工器官側枝９２，９４との間にトロンボーン型の結合を形成するように腎動脈内に位置決めされる。カバーが付けられていないステント９６は副腎固定ステントであり、逆棘部（図示せず）を有していても良い。図６の人工器官９０の骨格構造図が図６ｂに示されている。ステント９７は吻合部９８の近くにあるので、人工器官９０の遠位端９３に最も近いステント９５は内側に取り付けられるのが好ましい。吻合部９８は、図示されているようなものとすることができ又は図５に関して上記した大きな吻合とすることができる。人工器官側枝９２，９４は、図示されているように人工器官９０の遠位端９３から離れる方向に傾斜していても良く又は人工器官９０の遠位端９３に向かって傾斜していても良い。人工器官側枝９２，９４の開存性を保つためのステント（図示せず）が使用されても良い。付加的な人工器官側枝を人工器官９０に吻合させて、血液を腹腔動脈、ＳＭＡ動脈及び／又はその他の血管側枝へと迂回させることができる。
【００７８】
図７ａには、螺旋状の対側人工器官側枝１１２を備えた人工器官１１０の骨格構造図が示されている。人工器官１１０は、右腸骨動脈内に配備され且つ下腹動脈内へ分岐するように設計されている。分岐１１６の遠位側には、ある長さの人工器官側枝１１２が人工器官幹部１１４に対して長手方向且つ周方向に位置決めされており、該側枝はその長さに沿って継ぎ目が無い。人工器官側枝１１２の長手方向及び周方向の位置は、人工器官側枝１１２の遠位小孔１２０の近くで且つ更に近位側で１以上の縫合糸（図示せず）によって固定されている。この人工器官及びその他の人工器官に対しては、人工器官側枝１１２は分岐１１６の近位側の人工器官幹部１１４内へと伸長していて、側枝管腔（図示せず）が人工器官幹部１１４の管腔（図示せず）内から始まるようになされている。
【００７９】
人工器官１１０は、上記したポリエステル織布によって作られているのが好ましく、人工器官側枝１１２は襞が付けられているのが好ましい。ステントは、Prolene（登録商標）５-０縫合糸を使用して取り付けられている。Ｘ線透視法によって人工器官１１０の位置及び向きを示すために、金マーカー（図示せず）が種々の位置で人工器官１１０に取り付けられているのが好ましい。
【００８０】
人工器官側枝１１２を開存状態に保ち且つ捩れを防止するために、内側ステント１２３が、人工器官側枝１１２内の継ぎ目１１８の若干下方で且つ分岐１１６の近くに使用されている。このステント１２３は人工器官１１０の内側にあるのが好ましいが、外側に配置することもできる。ステント１２３は、直径が６ゲージで振幅が８ｍｍで繰返し数が６であるのが好ましい。２つの人工器官幹部ステント１２６が分岐１１６の近位側に取り付けられており、これらのステント１２６は、振幅が１７ｍｍで直径が２０ゲージで繰返し数が９であるのが好ましい。人工器官１１０はまた分岐１１６の遠位側に配置されている４つのステントをも備えており、これらのステント１２８は、振幅が１４ｍｍで直径が１４ゲージで繰返し数が７であるのが好ましい。ステント１２６，１２８は相対的に約４ｍｍ隔てられており、遠位のステント１２８の山部同士はこれらの間の接触を最少にするようにずらされている。人工器官幹部１１４上にある最も遠位にある二つのステント１２５は、側枝伸長部の配置の障害を防ぐように内面側に取り付けるようにできる。
【００８１】
人工器官側枝１１２の遠位小孔１２０は直径が６ｍｍであるのが好ましい。人工器官幹部１１４の遠位端１２２は直径が１４ｍｍであるのが好ましく、人工器官幹部１１４の近位小孔１３０は直径が２０ｍｍであるのが好ましい。人工器官幹部１１４の直径は１２ｍｍまで小さくすることができる。人工器官幹部１１４の近位端１２４と人工器官側枝１１２の遠位端１３２との間の距離は約６５ｍｍであるのが好ましい。これらの寸法は単に例示的に示されたものであり、特定の患者の解剖学的構造に適合するように変えることができる。
【００８２】
図７ｂは、図７ａの人工器官の上面図である。人工器官側枝１１２は、人工器官幹部１１４の長手軸線１３９を中心として１５１°だけ回転しているのが好ましい。
【００８３】
図８ａ〜８ｄは、図７ａ〜７ｂに示されている側枝が設けられている人工器官に似た対側の側枝が設けられている人工器官１４０の種々の斜視図である。この人工器官１４０は、右腸骨動脈内に配置され且つ右下腹動脈内へと分岐するように設計されている。放射線不透過性のマーカー１４２が人工器官１４０に縫い付けられている。人工器官側枝１４４は、襞が付けられたポリエステル織布によって作られているのが好ましい。図８ｄにおいて、人工器官側枝１４４と人工器官幹部１４１との間の継ぎ目１４６がはっきりと見える。人工器官幹部１４１の遠位端１４５に最も近いステント（図示せず）は内側に取り付けられている。継ぎ目１４６の遠位側に配置されている外側ステント１４３の一部又は全ては内側へと動かすことができる。継ぎ目１４６における人工器官側枝１４４もまた斜めに切断されて比較的大きな小孔を提供している。
【００８４】
図９ａ〜９ｂは、図７に関して示されているものと似た対側の側枝が設けられた人工器官の付加的な実施例を示している。図９ａは、内側ステント１６０と外側ステント１６２との両方を示している骨格構造図である。図９の人工器官は人工器官側枝１６１を備えており、この人工器官側枝１６１は、分岐１６８から垂直方向下方へと伸長し、次いで人工器官幹部１７０の周囲に沿って湾曲している。第二の最も遠位のステント１６３もまた内側に固定することができる。
【００８５】
図１０ａ〜１０ｂは、以下において図１１ａ〜１１ｃに示されている人工器官の概略図であり、対側の側枝が設けられている人工器官２１０の別の実施例を示している。この人工器官２１０は、総腸骨動脈内に配備され且つ下腹動脈内へと分岐するように設計されているが、あらゆる血管側枝内で使用できるようにすることができる。人工器官２１２の長手方向及び周方向の位置は、人工器官側枝２１２の遠位端２２０の近くで且つ遠位端２２０から更に近位側の１以上の縫合によって固定されている。人工器官２１０はポリエステル織布によって作られるのが好ましく、人工器官側枝２１２は襞が付けられたポリエステルによって作られるのが好ましい。図１０ｂは、人工器官幹部２１４に対する人工器官側枝２１２の相対的な向きを示しており、人工器官側枝２１２は人工器官幹部２１４の周囲を螺旋状に１５１°旋回しているのが好ましい。
【００８６】
図１１ａ〜１１ｃは、右腸骨動脈内に配備し且つ下腹動脈内へと分岐するのに適した側枝が設けられた対側の人工器官２１１を示している。人工器官幹部２３３は、直径が約２０ｍｍの近位部分２１７と直径が約１２ｍｍの遠位部分２１９とを備えている。人工器官側枝２１３は、直径が約２０ｍｍの近位部分２１７から始まっており且つ直径約１２ｍｍの遠位部分２１９の周囲に螺旋状の経路を有している。人工器官側枝２１３の螺旋状経路は周方向が約１８０°であり且つ継ぎ目２２５から長手方向に約６０ｍｍである。ピッチは約４５°であるのが好ましい。人工器官側枝２１３は、その全長に亘って直径が６ｍｍであり且つ襞が付けられたポリエステル移植片材料によって作られているのが好ましい。
【００８７】
図１１ａに示されている内側ステント２２３は、継ぎ目２２５に若干重なっていて分岐２２７と同面上にあって人工器官側枝２１３が曲げられたときに小孔を開口状態に保ち且つ捩れるのを防止するようになされている。このステント２２３は、人工器官２１１の内側面に取り付けられるのが好ましいが、外側に配置することもできる。ステント２２３は、厚みが６ゲージであり高さが８ｍｍであり繰返し数が６であるのが好ましい。２つのステント２２６が分岐２２７の近位側に取り付けられており、これらのステント２２６は、振幅が１８ｍｍであり直径が２０ゲージであり繰返し数が１０であるのが好ましく且つ相対的に２ｍｍだけ隔てられているのが好ましい。人工器官２１１はまた分岐２２７の遠位側に配置されている４つのステント２２８をも備えており、これらのステント２２８は、好ましい１４ゲージの厚みと１４ｍｍの振幅と７の繰返し数とを有しており且つ３ｍｍだけ相互に隔てられている。２つの最も遠位のステント２２９は内側に取り付けられるのが好ましい。これらのステントは、Prolene（登録商標）5-0を使用して取り付けられるのが好ましい。Ｘ線透視法によって人工器官２１１の位置を示すために、金マーカー２１５が人工器官２１１の種々の位置に取り付けられている。
【００８８】
人工器官側枝２１３の遠位小孔２２０は直径が６ｍｍであるのが好ましく、人工器官幹部２１４の遠位端２２２は直径が１２ｍｍであるのが好ましく、人工器官幹部２１４の近位小孔２３０は直径が２０ｍｍであるのが好ましい。この人工器官２１１の寸法は、本明細書に記載した他の人工器官と同様に特定の患者の解剖学的構造に適合しているのが好ましい。人工器官幹部のステント２２６，２２８の山部２３１同士は、これらの間の接触を最少にするようにずらされている。人工器官幹部２１４の近位端２２４から人口器官側枝２１２の遠位小孔２２２までの距離は約７０ｍｍであるのが好ましい。この人工器官２１１の配備は螺旋状の構造によって比較的容易になされる。この螺旋状の構造はｙ字形状又はｔ字形状の側枝付きの人工器官の約３倍の“アクセス角度“を可能にする。
【００８９】
図１２ａは周辺側枝が付けられた人工器官２５０の骨格構造図である。この人工器官２５０の人工器官側枝２５２は、人工器官幹部２５４の側部からある角度で伸長しており、次いで、人工器官幹部２５４に向かって後方へ曲がって該幹部に縫合糸によって固定されている。人工器官側枝２５２と人工器官幹部２５４との間には隙間２５６が存在している。人工器官側枝２５２は襞が付けられているのが好ましく（図示せず）、継ぎ目が無く且つその全長に亘る直径が約６ｍｍである。人工器官幹部２５４は継ぎ目が無くその全長に亘る直径が１２ｍｍである。人工器官側枝２５２は、第一の近位のステント２５３と第二の近位のステント２５５との間で人工器官幹部２５４に吻合されている。
【００９０】
図１２ｂは図１２ａの人工器官の外面図である。図示されているように、頂部の２つのステント２５３，２５５のみが人工器官２５０の外側に取り付けられている。図１２ａに示されている他のステントは内側に取り付けられている。吻合部２５９の近くのステント２５３，２５５は、これらが人工器官２５０の配備において使用されるガイドワイヤ（図示せず）に引っ掛からないように内側に固定されている。図１２ｃは図１２ａ及び１２ｂの人工器官の上面図である。人工器官側枝２５２は、人工器官幹部２５４の周りを１３７°に亘って旋回しており且つ位置２６１において人工器官幹部２５４に取り付けられている。
【００９１】
周辺側枝が付けられた人工器官３００の外面図が図１３ａに示されている。人工器官幹部３０２と人工器官側枝３０４とは、両方ともポリエステルによって作られているのが好ましい。人工器官側枝３０４は襞が付けられており（図示せず）且つ継ぎ目無しであるのが好ましい。振幅が１４ｍｍと２２ｍｍの両方のＺ型ステントが縫合（図示せず）によって人工器官３００に取り付けられているのが好ましい。図１３ｂに示されている内側遠位のステントを取り付けるためにProlene（登録商標）5-0が使用され、近位のステント３１０を取り付けるためにポリエステル4-0が使用されている。人工器官幹部３０２のステント３０６間には襞３０１が設けられているのが好ましく、これらは幹部３０２の可撓性を増し且つ捩れを減じる。金マーカー（図示せず）が採用されていても良い。Z型ステントの上方において人工器官幹部３０２にニチノール製のリング又はコイルが取り付けられており、対応するニチノール製のリング又はコイルが脚部の遠位部分に取り付けられ、該遠位部分に周辺側枝が付けられた人工器官３００がはめ合っている。
【００９２】
人工器官幹部３０２は、真直ぐで且つ全体の直径が一貫して１２ｍｍであるのが好ましい。人工器官側枝３０２に当接しているステント３１４は、図１３ｂに示されているように吻合部３２０の近くの振幅が１１ｍｍである場所を除き、振幅が２２ｍｍである。ステント３１４は、図示されているように外側に取り付けられるのが好ましいが、内側に取り付けられても良い。吻合部３２０における人工器官幹部３０２への人工器官側枝３０４の入射角度は、約２０°〜６０°の範囲内とすることができ、約４５°であるのが好ましく、長手軸線３２４に対する傾きは約０°〜約２０°であるのが好ましく、約０°であるのがより好ましい。ある長さの人工器官側枝３０４が人工器官幹部３０２に隣接しており、このことにより、人工器官３００の配備中の包装密度を減らすように材料の分布が改良される。人工器官側枝３０４は、およそ３箇所の縫合を使用して吻合部３２０から約４ｍｍのところで人工器官幹部３０２に固定されている。前記の縫合は吻合部３２０の可撓性を確保するように更に遠くに固定しても良い。
【００９３】
最も近位のステント３２２は、振幅１４ｍｍで且つ人工器官３００の外側に取り付けられるのが好ましい。最も近位のステント３２２の下側の材料は近位の人工器官に対して優れたはめ合わせを提供するように襞が付けられており、ステント３２２もまた人工器官３００の内側面に取り付けられている。図５に関して上記した大きな吻合部３２０が人工器官側枝３０４を人工器官幹部３０２に結合するために使用されている。３つの遠位のステント３１２は内側に取り付けられている。
【００９４】
図１３ｃは、図１３ａ〜１３ｂの人工器官の上面図である。人工器官側枝３０４は、人工器官幹部３０２を周囲約１５０°に亘って巻き付いているのが好ましい。人工器官側枝３０４の遠位小孔３３０は約３０°だけ斜めに切断されているのが好ましい。
【００９５】
図１４ａ〜１４ｂは、図１３に関して示されたものと似ている人工器官３５０を示している。人工器官側枝３５２は襞が付けられたポリエステル織布によって作られているのが好ましい。近位のステント３５８の下方領域は襞が付けられている。吻合部３５４は図５に関して上記したように大きいのが好ましい。人工器官側枝３５２は、人工器官３５０の長手軸線３５６に対して斜めにされていて、好ましくは約３０°〜約４０°の入射角度を有している。人工器官側枝３５２の斜面は、頂部のステント３５８に対して比較的大きな隙間を付与するように整えられている。
【００９６】
図１５ａは、動脈瘤ができている大動脈４０２内に移植されている側枝付きの管腔内人工器官４００の概略図である。側枝が設けられた管腔内人工器官４００の例としてはZenith（登録商標）AAAステント移植片（インディアナ州ブルーミントンにあるCook Incorporated）がある。人工器官４００は腸骨動脈４０４，４０５内へと伸長している。腸骨動脈肢４０７のうちの一つは、本明細書においては人工器官幹部である腸骨動脈伸長部４０９との間にトロンボーン型の結合を形成している。前記腸骨動脈伸長部（即ち、人工器官幹部）４０９は螺旋状の人工器官側枝４０８に吻合されている。螺旋状の人工器官側枝４０８は、下腹動脈４０６内に位置している下腹動脈側枝伸長部４１０との間にトロンボーン型の連結部を形成している。螺旋状の人工器官側枝４０８はまた腸骨動脈伸長部４０９と反対側（後側）へと湾曲している。
【００９７】
図１５ｂには、図１５ａに似たモジュール型の人工器官が示されている。しかしながら、図１５ｂの腸骨動脈伸長部４０９は間にある人工器官モジュール４０３を介して腸骨動脈脚部４０７に結合されている。中間人工器官モジュール４１３の例が図１５ｃに示されている。中間人工器官モジュール４１３の遠位端４２３は襞が付けられており且つ内側ステント４２０を備えている。外側ステント４２２はモジュール４１３の外側に取り付けられている。中間人工器官モジュール４０３は大動脈ステント移植片４００の後方に配置されるのが好ましく、腸骨動脈伸長部４０９は、中間人工器官モジュール４０３が両端において重なるように配備されている。遠位端４２３上の襞は、腸骨動脈伸長部４０９の近位端上の対応する襞と係合するのが好ましい。大動脈移植片４００又は腸骨動脈伸長部４０９の一方が最初に配備される。
【００９８】
１以上のステントによって人工器官側枝を支持するのが好ましい。図１６に示されているように、人工器官側枝４１４は環状のステント４１５を備えている。これらのステント４１５は、ステンレス鋼か又はニチノール製のワイヤー若しくはその他の形状記憶金属によって作られるのが好ましい。好ましくは約０．１５〜０．２３ミリメートル（約０．００６〜０．００９インチ）の直径のあらゆる適切な太さのワイヤーを使用することができる。ステント４１５は、自由端を備えた閉ループリングかコイルとすることができ且つ縫合又はその他の適当な方法を使用して取り付けることができる。これらは、幹部４１２の近くの位置から遠位小孔４１６まで種々の間隔で配置することができる。図１７は、縫合糸４１７を使用して人工器官側枝４１４の遠位小孔４１６に固定されている環状のステント４１５を示している。
【００９９】
図１８に示されているように、螺旋状の側枝４１４を支持するために螺旋状のステント４１８をも使用することができる。螺旋状のステント４１８はニチノール又はその他の形状記憶金属によって作られているのが好ましい。好ましくは外径が０．１５〜０．２３ミリメートル（０．００６〜０．００９インチ）のあらゆる適切な太さのワイヤーを使用することができる。図１９に示されているように、螺旋状のステント４１８の端部は、側枝４１４の遠位小孔４１６を支持することができるように閉ループ４１９に作ることができる。図２０は、作動状態で小孔を保持するように側枝４１４の近位小孔に取り付けられているニチノール製のコイルを示している。
【０１００】
図２１ａ〜２１ｄは２つの好ましくはエンドレスのＺ型ステントを示しており、このＺ型ステントは、２つの領域すなわち管状の移植片を包囲しているジグザク領域４３７と、側枝−幹部間吻合部の少なくとも一部分に適合し且つ／又は支持するように設計されている部分とを備えている。図２１ａのステントは吻合部の近位側を支持する形状とされている部分４３８を備えている。図２１ｂのステントは、吻合部の遠位側を支持する形状とされている部分４３９を備えている。側枝−幹部吻合部を支持するように作用している図２１ａ〜２１ｂのステントが図２２ａに示されている。
【０１０１】
図２２ａに示されているように、エンドレスのＺ型ステントは人工器官幹部に取り付けられており、各ステントは、吻合部の外周の２つの異なる部分のうちの一方の周囲に沿って湾曲している。図２１ｂのステントが吻合部の近位側に配置されているときに図２１ａのステントもまた吻合部の遠位側に配置することができる。図２２ｂは、ステント移植片に取り付けられている図２１ｃに示されているものと似たステントを示している。
【０１０２】
図２１ｃは、側枝−幹部吻合部の外周に沿うように設計されているループ４４０を含んでいるＺ型ステント４３７を示している。図２１ｄは、吻合部の遠位側を支持する形状とされている部分４４１を備えている。
【０１０３】
図２３ａ〜２３ｄは、側枝−幹部吻合部の形状を維持するように設計されているステントを示している。ステント４７０は、３つの主要部分、すなわち遠位の輪部分４７２、近位の輪部分４７１及び卵形のステント外周部分４７３を備えている。図２３ｅは、側枝−幹部吻合部の内側に取り付けられているステント４７０を示している。ステント４７０は、縫合を含むあらゆる一般的な方法で取り付けることができる。卵形の外周部分４７３は人工器官幹部に縫合されるのが好ましく、輪部分４７１，４７２は外周部分４７３から離れて人工器官側枝側に伸長し且つ人工器官側枝に縫合されるのが好ましい。ステント４７０は解剖学的構造の形状を維持するのが好ましい。
【０１０４】
図２３ａ〜２３ｆのステントは、単一のニチノール製ワイヤー又はそれと類似の形状記憶金属によって作られるのが好ましい。ワイヤーに図２３ａ〜２３ｅに示されている形状を“記憶”させるために、ワイヤーは、この形状である間に熱処理されるのが好ましい。この熱処理は、図２４ａ〜２４ｄの装置４７４又はこれに類似の熱処理機又は型を使用することによって達成することができる。装置４７４の平面図が図２４ｂに示されている。卵型の外周部分４７３は、柱４８６の周囲にニチノールワイヤーを巻き付けることによって形成される。遠位の輪部分４７２は、基部４８３の遠位のアーチ状部分４８５の外周に沿ってワイヤーを輪にすることによって形成される。近位の輪部分４７１は基部４８３の近位のアーチ状部分４８４の外周に沿ってワイヤーを輪にすることによって形成される。輪部分４７１，４７２は、装置のキャビティ４８１が基部４８３に取り付けられたときに、装置キャビティ４８１上のアーチ状の面４７８，４７９によって定位置に保持される。基部４８３は、穴４８０内を通り且つ柱４８６内へと通るねじ又はボルトによって取り付けられている。
【０１０５】
大動脈内に埋め込むように設計されている人工器官幹部に対しては、上腸間膜動脈、腹腔動脈及び両方の腎臓動脈内への血流を迂回させるために人工器官側枝が形成されても良い。図２５〜２７に示されているように、これらの多くの側枝のための種々の可能な構造及び向きが存在する。図２５は、２つの腎枝５２４，５２５を備えている大動脈モジュール５２０を示しており、これらは両方とも人口器官幹部に対して近位方向への流れを迂回させる。図２５においては、腹腔枝５２２とＳＭＡ枝５２１とは両方とも人工器官幹部に対して遠位方向への流れを迂回させる。図２６に示されているように、腹腔枝５２３は近位方向へ伸長するように配置することができる。
【０１０６】
図２７ａに示されているように、腹腔枝５２６は幹部５２０のＳＭＡ枝５２１と同じ側から遠位方向へ伸長することができる。腎枝はまた遠位方向へ伸長するように配置することもできる。図２７ｂは、人工器官幹部５２０に対して近位方向に伸長している螺旋状の腎枝５２４，５２５を備えている。腹腔枝５３３とＳＭＡ枝５３４とは、それらの各々の血管に分かれる前に共通の吻合部５１９を共有している。図２７ｃは、共通の吻合部５３５を備えている腎枝５３８，５３９のための構造を示している。
【０１０７】
図２７ｄにおいては、人工器官は、人工器官幹部壁に形成されている共通の吻合部５１９を介して人工器官幹部５２０と流体連通している腹腔枝５３３とＳＭＡ枝５３４とを備えている。この例においては、腹腔枝５３３は、ＳＭＡ枝の壁に形成されている吻合部５３７を介してＳＭＡ枝５３４と流体連通している。従って、腹腔枝入口端部は別個であり且つＳＭＡ枝の入口端部から下流に配置されている。
【０１０８】
側枝５３３，５３４の入口端部同士を切り離すことによる一つの利点は、幹部の吻合部５１９の大きさを小さくできることである。このことにより、吻合部５１９における移植片材料の量と給送シース内への移植片の詰め込み密度を減らすことができる。例えば、図２７ｂに示されているように、各々が共通の吻合部５１９を共有している腹腔枝５３３とＳＭＡ枝５３４とを備えている２つの人工器官を形成することができる。この例においては、腹腔枝５３３の遠位端とＳＭＡ枝５３４との遠位端は各々直径が８ｍｍである。第一の移植片においては、腹腔枝５３３とＳＭＡ枝とは、これらが吻合部５１９の隣で側枝へと分岐し且つ各々の直径がほぼ８ｍｍであるように作られている。第一の移植片には吻合部５１９が形成されており、吻合部５１９は、両方の側枝５３３，５３４の入口端部の大きさに適合するのに十分な大きさ例えばほぼ１６ｍｍである。
【０１０９】
第二の移植片には、例えば図２７ｄ及び２７ｅに示されているように、切り離されている側枝５３３，５３４の入口端部が形成されている。吻合部５１９は、ＳＭＡ枝５３４の入口端部に適合するのに十分な大きさであることのみが必要であり、従って、第二の移植片には、流体の流れを損なうことなく比較的小さい吻合部５１９を形成することができる。例えば第二の移植片は直径がほぼ１０ｍｍの吻合部５１９を備えることができる。ＳＭＡ枝５３４の直径は、図２７ｅに示されているようにその長さによってテーパーが付けられていても良い。
【０１１０】
この例は限定的なものではなく例示的なものであり、移植片及び該移植片の構成部品の絶対的及び相対的な寸法は変えることができることは理解されるべきである。例えば、上記した第一の移植片内の吻合部５１９は直径が１６ｍｍより小さくても良いし又は大きくても良い。同様に、上記した第二の移植片内の吻合部５１９は直径が１０ｍｍより小さくても良いし又は大きくても良い。
【０１１１】
側枝５３３，５３４の少なくとも一つは、図２７ｂおよび２７ｄに示されているように、幹部５２０に沿って長手方向に且つ幹部５２０の外周に沿って配置することができる。図２７ｅは人工器官の一つの例を示しており、この例においては、腹腔枝５３３はＳＭＡ枝５３４に沿って長手方向に且つ周方向に配置されている。側枝の大きさ、形状及び向きは、本明細書を通して説明されているように、患者の解剖学的構造及び層流の促進のような種々の考慮すべき要件に基づいて決定される。
【０１１２】
側枝のいずれも近位方向又は遠位方向に伸長する向きとすることができ、同様に側枝のいずれも幹部の両側に配置することができる。配置は患者の解剖学的構造と共に配備及び機能についての考慮すべき要件に応じて選択することができる。
【０１１３】
図２８ａは、人工器官幹部５２７の内側面に沿って周方向及び長手方向に伸長しており且つ遠位小孔５２９で終端している内側螺旋状側枝５２８を示している。図２８ｂに示されているように、この方法は、特に内側側枝５２８が血流に対してある角度をなしている場所に乱流を生じさせる。流れ特性を改良するために、バッフル５３０，５３１が図２９に示されるように内側側枝５２８を跨ぐようにされている。これらのバッフル５３０，５３１は上記した材料のいずれかによって作られており且つ側枝５２８が幹部５２７に接している位置で側枝５２８の両側の隙間５３２を充填し又は覆うことによって機能する。これらのバッフルは、血流の乱流がより少なくなるように、血流の方向に対してある角度をなしている内側螺旋状側枝の部分の流れを偏向するように機能するのが好ましい。
【０１１４】
内側側枝５２８の近くの乱流に対する別の解決方法は、図３０及び３１の両方に示されているように、ポケット５３６内に側枝５２８を包含する方法である。図３１に示されている断面図は、内側の螺旋状側枝が血流の方向に対してある角度で延びているポケット５３６に沿った層流を示している。ポケット５３６は、上記したポリエステル織布の綾織物によって又はその他の適切な材料によって作られている。内側側枝は開口したままであるように広げられているのが好ましい。これらのステントは、外側の螺旋状側枝に関して記載し且つ図示したステントに似ている。図２８ｃに示されている内側の８の字形状のＺ型ステント５３５もまた側枝管腔５３３及び幹部管腔５３４の両方を開口状態に保つために使用できる。８の字形状のステント５３５は単一の長さのステンレス鋼ワイヤーによって作られるのが好ましい。
【０１１５】
人工器官伸長モジュールを人工器官側枝内に配備する補助とするために、予め装填されたワイヤーを主要人工器官の内側から人工器官側枝内へと伸長させることが必要であるかも知れない。人工器官側枝の形状に応じて、このようなワイヤーは、人工器官の主要本体から人工器官側枝内へと通過するときに過剰に曲がらなければならない（即ち、小さい半径の屈曲部を有しなければならない）かも知れない。この状況によって、ワイヤー若しくは人工器官に損傷が生じるか又は配備が妨げられるかも知れない。図３２ａに示されているように、人工器官幹部５４０と人工器官側枝５４５との間の大きい吻合部５４１によって、配備ワイヤー５４３が大きい半径の湾曲を有することができる。
【０１１６】
このタイプの大きい吻合部５４１は、左鎖骨下動脈、左総頚動脈及び無名動脈を含む動脈弓の血管側枝において特に重要である。ガイドワイヤーに適合する尾部を有している無名動脈内へ伸長している螺旋状側枝５４５が図３２ａに示されている。吻合部５４１の大きさは人工器官側枝５４５の半径に関連して測定することができる。吻合部５４１の半径は、人工器官側枝５４５又は該側枝５４５の遠位小孔５４６の平均半径の２倍（又はそれ以上）の大きさとすることができる。図３２ａに示されている吻合部５４１はワイヤー５４３が通る尾部５４２を付加することによって大きくされており、このこともまた回転半径を大きくする。尾部を備えた吻合部は、広い部分と尾部である狭い部分との両方を備えている吻合部であることがわかるであろう。図３２ａの胸大動脈のステント移植片はまた、本明細書の別の場所に記載されている側枝及び／又は開窓のうちの幾つかを備えている腹大動脈内へと更に伸長することもできる。Ｙ字形状の側枝内でのガイドワイヤーの回転半径を大きくするために尾部が設けられた吻合部もまた使用できる。
【０１１７】
図３２ｂ及び３２ｃは、人工器官幹部５４０から伸長している胸血管側枝のための種々の構造を示している。図３２ａに示されている大きな吻合部はまた図３２ｂ及び３２ｃに示されている胸動脈用人工器官側枝内で使用することもできる。図３２ｂにおいては、無名動脈、左総頚動脈及び左鎖骨下動脈に対して別々の螺旋状側枝５４７，５６７，５６９が各々設けられている。弓型移植片は、動脈弓の曲線に適合するように湾曲しているのが好ましい。図３２ｃは、共通の吻合部５４８を有している左総頚動脈用人工器官側枝５５１と左鎖骨下動脈用人工器官側枝５５３とを示している。図３２ｂ〜３２ｃに示されている側枝のいずれかは開窓と選択的に置換できる。
【０１１８】
図３２ｃは、人工器官幹部５４０内に近位の歪み解放のための襞５７９と遠位の歪み解放用襞５８１とを備えている。これらは、拍動性の流れの作用により胸大動脈が軸線方向の伸縮を受けた際に幾らかの歪みの解放を提供するために人工器官幹部５４０の端部に選択的に配置される。襞５７９，５８１は、移植片が胸大動脈と共にタンデム（縦列）内で更に容易に伸長し、短縮し、曲がるのを可能にする。遠位のステント５８２と近位のステント５８３とは、幹部５４０の端部での密封を改良し、固定力を高めるために逆棘部（図示せず）を備えていても良い。
【０１１９】
大動脈又はその他の血管の種々の血管側枝への血流は、上記した一体の螺旋状側枝を含む開窓と人工器官側枝とのあらゆる組み合わせを使用することによって適合させることができる。このような組み合わせのうち一つが図３３〜４０に示されている。図３３〜４０は、血流を腎動脈、対側腎臓開窓５５８（血液が腎動脈のうちの一つ内へと流れるようにさせる人工器官の壁に形成されている穴）及び上腸間膜動脈開窓５５６（血液がＳＭＡへと流れるようにさせる人工器官の壁に形成された穴）を備えている管腔内人工器官５４９の種々の図面である。広がることができるカバーされているか又はされていないステントを開窓５５６，５５８のうちのいずれか又は両方の内部に配備することができる。この配備方法は、米国特許出願第１０／９８４，０４０号、第１０／９８４，４１６号、第１０／９８４，４１７号、第１０／９８４，１３１号、第１０／９８４，５２０号、及び第１０／９８４，１６７号に記載されている。これらの特許出願は全て２００４年１１月８日に出願されたものであり、これらに言及することによって本明細書に参考として組み入れられている。
【０１２０】
図３３は、テーパーが付けられている人工器官幹部５５０に沿って該人工器官幹部５５０に対して近位方向にすなわち人工器官５４９の遠位端５５５から離れる方向に向かって伸長している螺旋状の側枝５５２を示している。図示されているように、螺旋状の側枝５５２は、人工器官幹部５５０の長手軸線に対して約４４°のピッチ（すなわち傾斜）を有しており且つ６個の等間隔の縫合によって取り付けられるのが好ましい。側枝５５２は幹部５５０に縫い付けられるときに伸長も圧縮もされないのが好ましい。幹部５５０と側枝５５２との両方に放射線不透過性のマーカー５５７，５５９が取り付けられている。幹部５５０上の放射線不透過性マーカー５５９は、幹部５５０の長手軸線に整合されているのが好ましい。副腎ステント５６２が人工器官５４９の近位端５６２に配置されており、このステントは直径が３２ｍｍで高さが２５ｍｍで周期が１０のＺ型のステントであるのが好ましい。ＳＭＡ用開窓５５６は図３３に見ることができる。ＳＭＡ用開窓に加えて又はその代わりに、腹腔動脈のための開窓を設けることもできる。螺旋状の側枝５５２は捩れに耐える補助とするために襞が付けられているのが好ましい（図示せず）。
【０１２１】
図３４〜３６は、同じ器具を種々の回転位置で示している。図３４は、腎臓開窓５５８とＳＭＡ開窓５５６との相対的な向きを示している。側枝と開窓との相対的な向きは、特定の患者の解剖学的構造に適合するように改造することができる。図３５は、側枝５５２と幹部５５０との間の大きな吻合部５６４を示している。図３６は側枝５５２の斜めに切断されている小孔５６５を示している。
【０１２２】
図３７及び３８は、図３３〜３６に図示されている器具の骨格構造図である。遠位の内側ステント５５９と近位の内側ステント５６０とがこれらの図で見ることができる。遠位の内側ステント５５９は直径が２４ｍｍで高さが１４ｍｍで周期が１０のＺ型ステントであるのが好ましい。近位の内側ステント５６０は直径が３２ｍｍで高さが２２ｍｍで繰返し数が１２のＺ型ステントであるのが好ましい。外側ステント５６１は、直径が３２ｍｍで高さが１７ｍｍで周期が１１の振幅と高さが８．５ｍｍで繰返し数が２２の振幅との２つの振幅を有しているＺ型ステントであるのが好ましく、これらのステント５６１は好ましくは外径が約０．３３０ｍｍのニチノール製のワイヤーによって作られている。これらの寸法のいずれも特定の患者の解剖学的構造用に仕立てることができる。図３９は図３８に示されている矢印“Ａ”の方向から見た図であり、図４０は図３８に示されている矢印“Ｂ”の方向から見た図である。
【０１２３】
図４１ａ〜４１ｄは、螺旋状の人工器官側枝６１４と３つの開窓すなわち左腎用開窓６０６と右腎用開窓６３６と補助開窓６０４とを備えたステント移植片６００の種々の図面である。螺旋状の側枝６１４は、ＳＭＡに入り込み且つ大きな吻合部６２２から長手方向且つ周方向に伸長している。ステント移植片６００の近位端６２６もまた、腹腔動脈に適合するためのスカラップ（扇形の切欠き）６３０をも備えている。１つ以上の開窓を１つ以上の螺旋状の側枝と結合させることによって、１以上の血管側枝への流れが確保される一方でステント移植片装置の配備特性及び配備用シース内へのステント移植片の詰め込み外形が最適化される。
【０１２４】
ステント移植片６００の近位端６２６と遠位端６２４との近くの放射線不透過性のマーカー６０２，６１２は、螺旋状の側枝６１４上のマーカー６２０と同様に、外科医が配備中におけるステント移植片６００の回転を確認する補助となる。螺旋状の側枝６１４は、斜めに切断された遠位の吻合部６１８を有していても良い。ステント移植片６００は、該ステント移植片６００の近位端６２６近くの外側に配置されたステント６１０と内側に配置されたステント６０８との両方によって支持されている。図４１ｃに示されているように、吻合部６２２の近くの領域６３２，６３４は、例えば図２１ａ〜２１ｄに示されているもののような吻合部６２２を妨げるのを避け且つ支持するように設計されたものであるのが好ましいあらゆる形状のステントによって占められている。図４１ｄは遠位端６２４から見たステント移植片６００の軸線方向の図である。
【０１２５】
図４２ａ〜４２ｄは、開窓と螺旋状の側枝移植片との両方を備えている別のステント移植片６５０を示している。このステント移植片６５０は、中間部分にテーパー部６７０を有していて遠位端６５６及び遠位部分６６８内の直径が近位端６５８及び近位部分６６６内の直径より小さくなされている。移植片には３つの開窓すなわちＳＭＡ用開窓６６２と左腎用開窓６６４と右腎用開窓６７２とが設けられている。螺旋状の側枝６６０は腹腔動脈への流れを提供する。ステント移植片６５０は外側Ｚ型ステント６５４と内側Ｚ型ステント６７６とによって支持されている。テーパー部６７０は、好ましくは図２１ａ〜図２１ｄに示されているもののような側枝−幹部吻合６７０の妨害を避けるように設計されたもののようなあらゆる形状のステントによって支持される。カバーがされていない近位のステント６５２が設けられており、該近位ステント６５２は、逆棘部（図示せず）が該ステントから入口固定部まで伸長しているのが好ましい。
【０１２６】
動脈の解剖学的構造及び動脈瘤の局所解剖学は患者間で異なっており、上記の人工器官の設計のいずれもが特定の患者における要求に適合するように改造されるのが好ましい。第一のステップは患者のＣＴ走査画像を精密に調べることである。各患者に必要とされる器具に対する人工器官の設計のための重要なパラメータ（配備部位、近位及び遠位の密封箇所）が決められる。動脈瘤の三次元（３−Ｄ）モデルが当業者に公知の技術を使用して作成される。
【０１２７】
動脈瘤モデルは、Solid Works（登録商標）又はその他の適当な固体及び表面モデル化ソフトウエア内に組み入れられる。このソフトウエアによって、３−Ｄ管腔内人工器官が動脈瘤モデル及び規定された重要パラメータに基づいて設計される。この３−Ｄ機器によって機械図面が作成される。次いで、この機械図面の仕様を使用して人工器官の織布及びステントを含むプロトタイプの人工器官のための構成要素材料が形成される。次いで、この材料及びステントが組み立てられて最終的な人工器官が形成される。
【０１２８】
モジュール型の人工器官及び導入器
下行胸大動脈及び腹大動脈の動脈瘤を治療する際に使用するためのモジュール型人工器官が知られており、この人工器官においては、近位端に大動脈内に配置するための単一の管腔が規定されており、他端は腸骨動脈内へと伸長するために分岐されている。腸骨伸長人工器官モジュールは分岐の端部に結合することができる。このような人工器官の概略図がＰＣＴ出願第ＷＯ９８／５３７６１号に更に詳細に示されている。
【０１２９】
ＷＯ９８／５３７６１号には人工器官が開示されている。この人工器官は、単一の管腔部分と分岐部とを規定しているポリエステル織布又はポリテトラフルオロエチレン（ＰＴＦＥ）のような生体適合性人工器官材料からなるスリーブ又はチューブを備えており、更に、幾つかのステントが前記スリーブ又はチューブに沿って固定されている。該人工器官は、２つの腸骨動脈から近位方向に大動脈に沿って伸長している動脈瘤を跨ぐように設計されている。この参考文献には、導入器アセンブリを使用して患者の体内にステント人工器官を配備する方法も開示されている。
【０１３０】
ＷＯ９８／５３７６１号出願においては、人工器官の単一管腔からなる近位端の材料によって覆われた部分が動脈瘤の上方の大動脈の壁に当接して腎動脈への入口から遠位方向に隔てられている位置で動脈瘤を密封している。近位の取り付けステントの細いワイヤーからなる柱が、人口器官を大動脈内の定位置に係留しながら腎動脈入口を塞ぐことなく該腎動脈入口を横切っている。
【０１３１】
伸長モジュールは人工器官の脚部のうちの一つに固定されていて各々の腸骨動脈に沿って伸長し、任意的には該伸長部は両方の脚部に固定される。これらの伸長部モジュールはトロンボーニングによって取り付けられる。モジュール型管腔内人工器官を配備器具又は導入器を使用して遠隔位置から患者の管腔内へ配備する方法は、上記と同じ特許出願に開示されている。ＰＣＴ出願ＷＯ９８／５３７６１号はこれに言及することによって本明細書に参考として組み入れられている。
【０１３２】
ＷＯ９８／５３７６１号に記載されているものと似た一つのモジュール型人工器官、すなわちCook Incorporatedによって販売されているZenith（登録商標）AAA管腔内移植片は、大動脈瘤を治療するための食品医薬局（Food and Drug Administration (FDA)）によって承認されている。このZenith（登録商標）AAA管腔内移植片は、３つの人工器官モジュールすなわち主本体モジュールと２つの脚部モジュールとによって作られている。脚部は腸骨動脈内に配置され且つ前記の主本体に結合されている。従って、該人工器官は腎動脈下方の大動脈から両方の腸骨動脈内へ伸長する。人工器官自体は、開腹外科手術において使用されるものと似たポリエステル材料によって作られている。標準的な外科的縫合技術が使用されて移植片材料がステンレス鋼製のステントの枠に縫い付けられる。これらの自己拡張性ステントは移植片材料のための支持を提供する。
【０１３３】
図４３は、Zenith（登録商標）自己拡張型側枝付き人工器官７２０（インディアナ州ブルーミントンにあるCook Incorporatedから入手可能な製品コード番号ＴＦＢ１〜ＴＦＢ５）と、医療処置中に患者の管腔内に人工器官７２０を配備するための導入器７００としても知られている血管内配備装置７００とを示している。これらの部材は、各々、ＰＣＴ出願公開ＷＯ９８／５３７６１号に更に詳しく記載されている。図１３ｂに関連して説明されたものと似た自己拡張型の側枝付きの人工器官７５０もまた示されている。
【０１３４】
側枝付きの人工器官７２０は逆Ｙ字形状を有している。人工器官７２０は、本体７２３と比較的短い脚部７６０と比較的長い脚部７３２とを備えている。側枝付きの人工器官７２０は、自己拡張型ステント７１９が取り付けられているポリエステルのような管状の移植片材料からなる。自己拡張型ステント７１９は導入器７００からの解放に続いて人工器官７２０を拡張させる。人工器官７２０はまた、その近位端から伸長している自己拡張型のＺ型ステント７２１をも備えている。自己拡張型Ｚ型ステント７２１は、遠位方向に伸長している逆棘部７５１を備えている。自己拡張型ステント７２１は、導入器７００から解放されると逆棘部７５１従って人工器官７２０の近位端を患者の管腔に係留させる。図４３に示されている人工器官７２０に対する代替例として図６に示されているような人工器官を配備することができ、腎枝伸長部がこれに続く。これは、腎臓動脈内の動脈瘤組織を排除すると言う付加的な利点を有し、大動脈移植片を更に近位方向へ伸長させる。自己拡張型の側枝付き人工器官７５０は、図１３ｂに関して記載した側枝付きの人工器官と似ており、分岐された人工器官７２０の短い方の脚部７６０及び側枝伸長部との間にトロンボーン型の結合を形成する構造とされている。側枝付きの人工器官７５０の近位端に切り欠きすなわちスカラップを切り込んでモジュールの配備を補助しても良い。
【０１３５】
導入器７００は、外部操作部分７８０と遠位の取り付け部分７８２と近位の取付け部分７８４とを備えている。遠位の取付け部分７８２と近位の取付け部分７８４とは、各々、人工器官７２０の遠位及び近位の端部を固定している。人工器官７２０を配備させる医療処置中に、遠位及び近位の取付け部分７８２及び７８４は、管腔内を通って所望の配備部位へと移動される。導入器を操るためにユーザーによって操作される外部操作部分７８０は、処置の初めから終わりまで患者の体外に維持されたままである。
【０１３６】
導入器７００の近位の取付け部分７８４は筒状のスリーブ７１０を備えている。筒状のスリーブ７１０は、その近位端から伸長している長いテーパーが付けられた可撓性の伸長部分７１１を備えている。可撓性の伸長部分７１１は内側長手方向穴（図示せず）を備えている。この長手方向の穴は、テーパーが付けられている可撓性の伸長部分７１１が挿入ワイヤー（図示せず）に沿って進入するのを補助する。この長手方向の穴はまた薬剤を導入するための流路をも提供する。例えば、医療処置の配置段階及び配備段階において血管造影が行なわれるようにするために造影剤を供給することが望ましい。
【０１３７】
薄壁の金属管７１５が伸長部分７１１に取り付けられている。薄壁の金属管７１５は、導入器７００が大腿動脈のような比較的蛇行している血管に沿って進入し且つ遠位の取付け部分７８２が長手方向及び回転方向に操作されるように可撓性とされている。薄壁の金属管７１５は、導入器７００内を操作部分７８０に向かって伸長して結合装置７１６において終端している。結合装置７１６は、薄壁金属管７１５内への試薬の導入を補助するために注射器を収容できるようになされている。薄壁の金属管７１５は可撓性の伸長部分７１１の穴７１２と流体連通している。従って、結合装置７１６内へ導入された試薬は穴７１２へと流れ且つ該穴から出る。
【０１３８】
プラスチック製のチューブ７４１は薄壁の金属管７１５と同軸であり且つ該金属管の半径方向外方にある。プラスチック製のチューブ７４１は厚壁であり、その壁は薄壁の金属管７１５の７倍の厚みであるのが好ましい。シース７３０はプラスチック製のチューブ７４１と同軸で且つ半径方向外方にある。厚壁のプラスチック製のチューブ７４１とシース７３０とは操作部分７８０に向かって遠位方向に伸長している。
【０１３９】
この医療処置の位置決め段階中、人工器官７２０はシース７３０によって圧縮状態に維持される。シース７３０は、外部操作部分７８０の把持及び止血密封装置７３５に向かって遠位方向に伸長している。導入器７００の組立中、人工器官７２０は外力によって圧縮状態に保持されている状態にある間に、シース７３０は近位の取り付け部分７８４の筒状スリーブ７１０の外周に沿って進入される。遠位の取り付け（保持）部分７４０は薄壁のプラスチック製チューブ７４１に結合されている。遠位の取付け部分７４０は、この処置中、人工器官７２０の遠位端７４２に留まったままである。同様に、筒状スリーブ７１０は自己拡張性Ｚ型ステント７２１を保持する。
【０１４０】
人工器官７２０の遠位端７４２は遠位の取付け部分７４０によって保持されている。人工器官７２０の遠位端７４２はループ（図示せず）を備えており、該ループ内を遠位のトリガーワイヤー（図示せず）が伸長している。遠位のトリガーワイヤーは、遠位の取付け部分７４０の穴（図示せず）内を通って薄壁のチューブ７１５と厚壁のチューブ７４１との間の環状部分内へと伸長している。遠位のトリガーワイヤーは該環状空間内を操作部分７８０に向かって伸長している。遠位のトリガーワイヤーは遠位のワイヤー解放機構７２５において環状空間から出て行く。
【０１４１】
外部操作部分７８０は止血密封装置７３５を備えている。止血密封装置７３５は止血シール（図示せず）と側方チューブ７２９とを備えている。止血密封装置７３５はまた、シース７３０を止血シールにクランプしているクランプカラー（図示せず）と厚壁のプラスチック製チューブ７４１の周囲に止血シールを形成しているシリコーンゴムシールリング（図示せず）をも備えている。側方チューブ７２９は、厚壁のチューブ７４１とシース７３０との間への医療試薬の導入を容易にしている。
【０１４２】
外部操作部分７８０の近位部分は、本体７３６を備えている解放ワイヤー起動部分を備えている。本体７３６は厚壁のプラスチック製チューブ７４１上に取り付けられている。薄壁の管７１５は本体７３６内を通されている。遠位のワイヤー解放機構７２５と近位のワイヤー解放機構７２４とは、本体７３６上を摺動できるように取り付けられている。
【０１４３】
近位のワイヤー解放機構７２４と遠位のワイヤー解放機構７２５との配置は、遠位のワイヤー解放機構７２５が動かされる前に近位のワイヤー解放機構７２４を動かさなければならないようになされている。従って、人工器官７２０の遠位端７４２は、自己拡張性Ｚ型ステントが解放され且つ逆棘部７５１が管腔に係留されるまで解放することができない。クランプねじ７３７は人工器官７２０の不用意な早期の解放を防止している。解放ワイヤーが医療処置中の不必要な血液の損失がない状態で本体７３６から伸長して出て行くように、止血シール（図示せず）が備えられている。
【０１４４】
外部操作部分７８０の遠位部分はピン用バイス７３９を備えている。ピン用バイス７３９は本体７３６の遠位端上に設けられている。ピン用バイス７３９はねじ込みキャップ７４６を備えている。ピン用バイス７３９のバイス掴み部材（図示せず）は、ねじ込まれると薄壁の金属管７１５にクランプするか又は係合する。バイスの掴み部材が係合されると、薄壁の管７１５は本体７３６と一緒にのみ動くことができるのであり、従って、薄壁管７１５は厚壁管７４１と一緒にのみ動くことができる。ねじ込みキャップ７４６が締め付けられると、アセンブリ全体が一体部品として一緒にのみ動くことができる。
【０１４５】
螺旋状側枝付きの人工器官７５０を導入し且つトロンボーン型の結合を形成するために、第二の導入器が使用されても良い。この第二の導入器は、上記した導入器７００と同じ原理に基づいているが、より簡素化することができる。例えば、第二の導入器は、圧縮状態で側枝付きの人工器官７５０を収容するためのシースを含んでいて、目標とされている解剖学的構造内へ導入され、次いで解放されて自己拡張するか又はバルーンによって能動的に拡張されるようになされている。第二の導入器には、図４４に示されているように送り込み先端８００を設けて大動脈分岐内へのガイドワイヤー８０２の配備を可能にすることができる。側枝伸長部を配備するために第三の導入器を使用しても良い。
【０１４６】
配備方法
人工器官モジュールは順次配備されるのが好ましい。側枝付きの人工器官７５０と分岐された人工器官７２０との間のモジュール間結合は生体内で形成される。最初に、分岐された人工器管７２０が配備され、次いで、側枝付きの人工器管７５０が配備される。例えば、ＷＯ９８／５３７６１号に記載されている分岐された大動脈人工器官７２０を腹大動脈内に配備することができる。分岐された人工器官７２０は逆Ｙ字形状を有しており、この構造は本体部分７２３と短い方の脚部７６０と長い方の脚部７３２とを備えている。この人工器官の本体は織られたポリエステル織布によって作られている。人工器官７２０の近位端には自己拡張型ステント７２１が設けられており、該ステントは人工器官の端部を越えて伸長しており且つ遠位方向に伸長している逆棘部７５１を備えている。短い方の脚部７６０と長い方の脚部７３２とは、それらの遠位の終端から伸長している内側突出部を備えている。
【０１４７】
この分岐された人工器官７２０は、当該技術において知られているあらゆる方法好ましくはＷＯ９８／５３７６１号に記載されている方法で配備させることができる。前記ＷＯ９８／５３７６１号に記載されている方法においては、器具は外科的に形成された切開部から大腿動脈内へ導入器によって挿入され、次いで管腔内介入技術を使用して堅牢なガイドワイヤーの外周に沿って所望の位置へと進入される。例えばガイドワイヤー（図示せず）は最初に患者の大動脈内へ導入され、その先端が人工器官７２０の所望の配備部分を越えるまで進入される。この段階で、導入器アセンブリ７００は完全に組み立てられて患者の体内へ導入する準備がなされた状態にある。人工器官７２０は、一端が円筒形のスリーブ７１０によって保持されており、他端は遠位の取付け部分７４０によって保持されており且つシース７３０によって圧縮されている。大動脈瘤が修復されるべきである場合には、導入器アセンブリ７００をここでは説明されていないＸ線透視技術によって大腿動脈からガイドワイヤーの外周に沿って挿入でき且つ位置決めできる。
【０１４８】
いったん導入器アセンブリ７００が所望の配備位置に配置されると、シース７３０がちょうど遠位の取付け部分７４０の近位側まで引き抜かれる。この作用により、人工器官７２０の中間部分が解放されて径方向に拡張できる。しかしながら、近位の自己拡張型ステント７２１は依然として円筒形スリーブ７１０内に保持されている。同じく、人工器官７２０の遠位端７４２も依然として外側シース７３０内に保持されている。
【０１４９】
次に、ピン用バイス７３９が緩められて厚壁チューブ７４１に対する薄壁管７１５の小さな動きが許容される。これらの動きは、管腔内の所望の位置へ正確に配置するために人工器官７２０の伸長、短縮、回転、または圧縮を可能とする。放射線不透過性マーカー（図示せず）を人工器官７２０に沿って配置して人工器官の配置を容易にすることができる。
【０１５０】
人工器官７２０の近位端が定位置に配置されると、近位のトリガーワイヤーが近位のワイヤー解放機構７２４を遠位方向へ動かさすことによって引き抜かれる。近位のワイヤー解放機構７２４と近位のトリガーワイヤーとは、ピン用バイス７３９、ねじ込みキャップ７４６及び結合装置７１６を越えるように近位のワイヤー解除機構７２４を通過させることによって完全に取り外すことができる。
【０１５１】
次に、ピン用バイス７３９のねじ込みキャップ７４６が緩められる。このように緩めた後に、薄壁の管７１５を近位方向へ押して円筒形スリーブ７１０を近位方向へ動かすことができる。円筒形スリーブ７１０がもはや自己拡張型ステント７２１を包囲しない位置に達すると、自己拡張型ステント７２１は拡張する。自己拡張型ステント７２１が拡張すると、逆棘部７５１が管腔の壁を把持して人工器官７２０の近位端を定位置に保持する。この段階以後、人工器官７２０の近位端を再び動かすことはできない。
【０１５２】
人工器官７２０の近位端がひとたび係留されると、外側シース７３０は遠位の取付け部分７４０の遠位側へと引き抜かれる。このように引き抜くことによって、対側脚部７６０と人工器官７２０の長い方の脚部７３２とが拡張できるようになる。この時点では、人工器官７２０の遠位端の７４２は依然として動かすことができる。結果として、人工器官７２０は依然として回転させるか伸長させるか短縮させることによって正しい位置決めができる。人工器官７２０のこのような位置決めによって、短い方の脚部７６０が対側動脈の方向に伸長することが確保される。
【０１５３】
短い方の脚部７６０が対側腸骨動脈の方向に伸長した後に側枝付きの人工器官７５０が配備される。側枝付きの人工器官７５０は、該人工器官が短い方の脚部７６０との間にトロンボーン結合を形成し且つ短い方の脚部７６０から対側動脈内へ伸長する。人工器官７２０と側枝付きの人工器官７５０との結合は、本明細書の別の部分で更に詳しく説明されている。
【０１５４】
側枝付き人工器官モジュール７５０の導入方法は以下の通りである。ガイドワイヤ（図示せず）を、対側大腿動脈内から導入され且つその先端が人工器官を配置すべき領域の上方に位置するまで進入させる。次いで、第二の導入器が振動及び回転動作によってガイドワイヤーの外周に沿って進入させて伸長人工器官が対側側枝７６０内の一つの完全なステントに重ねられる。次いで、厚壁のチューブを定位置に保持しながらシースが抜き取られる前に最終的な位置の点検が行なわれる。下腹血管側枝の移植片モジュールを配備するための類似の方法が、米国特許出願公開第２００５／０１８２４７６号に記載され且つ図示されている。この米国特許出願公開はこれに言及することにより本明細書に参考として組み入れられている。
【０１５５】
ガイドワイヤーは、捕捉されている第二の導入器の先端から配備され且つ同側へと寄せられて同側から対側への第三導入器の配備を容易にして、側枝伸長部を下腹動脈内へ配備する。人工器官側枝の脚部内へ予め装填されているワイヤー又はスネア（締結部材）によって、複雑な配置、側枝へのカテーテル挿入及びシースを介してワイヤーを別個に挿入する必要性が排除されるのが好ましい。この方法は、多くの側枝が存在する場合に特に重要である。該給送装置の遠位のハンドルには、この構造に適合するように付加的なトリガーワイヤーが備えられていても良い。第二及び第三の導入器及びこれらの導入器を使用する方法は、２００３年１０月１４日に出願された“腸管側枝器具のための導入器（Introducer for an Iliac Side Branch Device）“という名称の米国特許出願第６０／５１０，８２３号に更に詳細に説明されている。該米国特許出願は、これに言及することにより本明細書に参考として組み込まれている。
【０１５６】
上記の導入器及び配備方法は、他の部分への埋め込みに適合するようにすることができる。例えば、第一の人工器官モジュールは大動脈内に配置され、結合人工器官モジュールは、腎動脈、腸骨動脈、上腸管膜動脈、腹腔動脈、又はその他の動脈内に配置してトロンボーン型の連結を形成することができる。第一の人工器官モジュールが胸大動脈内に配置される場合には、結合人工器官モジュールは、胸大動脈、左鎖骨下動脈、左総頚動脈、無名動脈又はその他の動脈の別の部分内に配置することができる。更に、同じ動脈内に埋め込まれる人工器官モジュールを相互に結合することができる。これらの実施例の各々の重なり部分は、関連する解剖学的構造の大きさ及び該人工器官がこの関連する解剖学的構造内で曝される力に適合せしめられるのが好ましい。
【０１５７】
例１
分岐した脚部にかかる血流による力は、分岐点及び人工器官側枝の最終的な屈曲角部分にかかる荷重に依存する。人工器官から側枝伸長部を分離させる力は特に重要である。ｙ方向への流れによる力は、これが十分に大きい場合には、側枝伸長部と人工器官側枝とを相互に保持する摩擦力よりも大きくなって分離を生じさせ得る。分離がかなり大きい場合には、III型のエンドリークが生じ、もはや動脈瘤を締め出すことはできないであろう。
【０１５８】
上記した人工器官に対して生体内漏れ圧力試験を行うことができる。この試験の目的は、２つの人工器官内のはめ合い点における漏れを生じさせるのに必要な最小内部圧力を判定することである。
【０１５９】
この試験は、圧力変換器、圧力監視装置、水／グリセリン混合物（染色されている）＠３．６４ｃＰ、水浴、浸水形ヒーター、水力ポンプ、温度コントローラ、接合表面熱電対及び水銀温度計を必要とする。
【０１６０】
人工器官側枝と側枝伸長部とは、適当なトロンボーン型の結合が形成されるように好ましくは１．５〜２ｃｍの重なり及び１ｍｍ以下の直径差を有する適切なトロンボーン型の結合が形成されるようにはめ合わせられる。これらの器具は、適当な大きさのバルーン拡張カテーテルを使用して３０秒間膨らまされる。
【０１６１】
互いにはめ合った器具内の内部圧力は、圧力変換機及び圧力監視装置を使用して測定される。これらの装置は、互いにはめ合った器具内に手動制御された圧力を付与する注射器に結合される。加圧液体は、青色食用着色料によって染色された3.64 centiPoise (cP)に対するグリセリン／水混合物である。器具を３７℃の水浴内に配置し、漏れの有無は青色に染色したグリセリン／水混合物の漏れによって規定され且つ確認される。漏れの視認による評価及び漏れ圧力の記録は手動によって記録した。
【０１６２】
例２
上記の人工器官は人間ではない哺乳動物内で生体試験することができる。試験及び治療目的のための人工器官の移植に適した一つの動物は畜産牛である。試験目的で、生後６〜１０週間の雄の子牛を使用した。
【０１６３】
外科手術前の準備として、各動物に血小板阻害の目的で処置の前日から毎日３２５ｍｇのアスピリンを与えた。各動物は、約８〜１２時間食物を与えず、各処置の前約２時間は水を与えない状態に保った。手術前の基準ＡＣＴをHemochron Jr. Signature Series Machine（登録商標、ニュージャアジー州エディソンにあるＩＴＣから入手可能である）において測定した。
【０１６４】
子牛の各々をXylazine（１．０mg/１０lbs、ＩＭ）によって鎮静させた。動物を若かに鎮静させるとすぐに、誘導マスクを使用してイソフルラン（２〜４％）を給送した。吸入麻酔薬が給送されている間に子牛の顔をマスク内に配置した。動物は標準的な形態で挿管することができる。気管内チューブを配置してすぐに該チューブを固定した。ベンチレ―タをオンに切換え動物に接続して麻酔深度を増し且つ動物を機械的に通気した。イソフルラン投与範囲は約０．８〜１，２５％であったが、関連のある要因に応じた如何なるパーセンテージとしても良い。この外科手術前の準備中に、各動物はまた、benzathine procaine penicillin（30,000-50,000U/kg IM）の注射をも受けさせた。
【０１６５】
動物をその右後脚を上方へ伸ばし且つガーゼの紐で固定した状態で左側面を下にして配置した。接地パッドとＥＫＧリード線とを動物の上に配置した。静脈内カテーテル（ＩＶ）を脚部末梢静脈内に配置しテープで固定した。処置期間中、乳酸リンゲル液（ＬＲ）をカテーテルによって注入して適切な水和を提供した。両方の鼠径部を剃り且つ７０％のアルコール及びベタジンによって滅菌して試験準備した。
【０１６６】
この側枝付きの血管器具の埋め込みは基本的な血管内技術を含んでいる。左脚の大腿を切開して大腿血管へのアクセスを確保した。腹膜後を切開して右腸骨動脈へのアクセスを提供した。第三のアクセスポイントは、切開によって右頚動脈を露出させることによって確保した。動脈上の近位側と遠位側とに止血血管ループを配置した。単一の壁穿刺針を使用して左大腿動脈へアクセスし、針ハブからの拍動性血流の存在によってカニューレの挿入を確認した。
【０１６７】
拍動性の流れが確認されるとすぐに、ワイヤーを下行腹部大動脈内に配置した。動物は、キログラム当たり２００ＩＵのブタヘパリンでヘパリン化した。ヘパリン投与後３〜１０分以内に活性凝固時間が得られ、適当な抗凝固を確保し、基準ＡＣＴの１．５〜２倍の好ましい最少量を達成した。８フレンチの導入管シースを左動脈管腔内へと進入させた。配置前及び配置後に、各シースの側方孔を０．９%の生理食塩水によって洗い流した。
【０１６８】
５フレンチのピッグテールカテーテルを導入器シース内のワイヤーの外周に沿って挿入し且つＸ線透視誘導法を使用して大動脈弓領域内へと進入させた。適当量の造影剤を使用して下行胸大動脈の基準デジタル局部造影図を得た。基準造影図が得られるとすぐに、ピッグテールカテーテル内にワイヤーを挿入し且つ胸大動脈内へ進入させた。次いでカテーテルを取り外した。１２．５ＭＨｚのBoston Scientific IVUS（血管内超音波）プローブをワイヤーの外周に沿ってモノレール式に挿入して基準ＩＶＵＳを得た。これらの測定結果は三分岐の近位側約９ｃｍの遠位腹大動脈の断面直径を含んでいた。
【０１６９】
図１１に関して図示し且つ説明したものと似た外側螺旋状器具を使用した。この特別な人工器官は、延伸ＰＴＥＦによって作られているViabahn（登録商標）Endoprosthesis（デラウェア州ニューアークにあるW. L. Gore & Associates, Inc.,）によって製造した。これを、主要器具を介する０．０３５インチのワイヤーアクセス及び側枝脚部内を通る予め装填された０．０１８インチワイヤーを提供する４フレンチのカテーテルによって１８フレンチのカートリッジ内に装填した。
【０１７０】
単一の壁穿刺針を使用して右腸骨動脈にアクセスした。Amplatzガイドワイヤーを配置して、２０フレンチのCheck-Flo（登録商標）（インディアナ州ブルーミントンにあるCook Incorporated）導入管シースを大動脈分岐の上方９ｃｍのところまで進入させ且つ給送装置として使用した。予め装填した０．０１８インチのワイヤーを剥離シースを使用してCheek-Flo（登録商標）シースの弁を介して進入させた。この予装填装置カートリッジを、次いでプッシャーとしての拡張器を使用して２０フレンチのCheck-Flo（登録商標）内へ挿入した。０．００１８インチのワイヤーを頚動脈から係蹄して除去して血管側枝ワイヤーのための全貫通アクセスを提供した。次いで、この人工器官を人工器官側枝の小孔が露出された場所に配備した。次いでこの人工器官を対側大動脈内を通して進入させた。
【０１７１】
この人工器官は、人工器官側枝内に２．０ｃｍ重なり合わせて配備した。この人工器官の全長は７ｍｍ×４ｍｍのバルーンによってバルーン拡張させた。術後造影及びＩＶＵＳ評価を実施した。小孔に沿ったステント移植片の近位点、中間点及び遠位点の最終的なＩＶＵＳ評価を行い、一方、造影によってエンドリークの存在並びにステント移植片の位置を評価した。所望の場合には、人工器官を生体から分離し且つ術後分析をしても良い。
【０１７２】
例３
一つの螺旋状の血管側枝ステント移植片は、側枝が内腸骨動脈に対して適正な向きとなるように配備させる。側枝の遠位端上の４つのマーカーを内腸骨動脈のおよそ５ｍｍ上方に配置する。当該器具を収容しているシースが引き抜かれて側枝の脚部が露出されて外腸骨動脈内でシース内に拘束されたままの状態とする。対側脚部内でのワイヤーの場所が操縦可能なガイドワイヤーに置き換えられ、次いで、このガイドワイヤーが遠位動脈内へと進められ且つ対側大腿動脈から導入されたスネア器具によって係蹄にかけられて取り出される。これによって、対側鼠径から腸骨側枝の基端側を通り腸骨脚部内へ入り次いで遠位区分の外側部分（外腸骨動脈部分）に沿って同側の鼠径部に達するアクセスが得られる。
【０１７３】
この全貫通ワイヤーの外周に沿って１０Ｆ又は１２ＦのBalkin シース（インディアナ州ブルーミントンにあるCook Incorporated）を導入し且つ側枝脚部内へと進入させる。全貫通ガイドワイヤーに沿って操作可能なカテーテルとワイヤーとの結合物を進入させ且つ内腸骨動脈内にカニューレを選択的に挿入するために使用される。
【０１７４】
ひとたび妥当な取得がなされると、比較的堅牢なワイヤーが配置され、はめ合い部材を所望の位置へと進入させる。このはめ合い部材は、Viabahn（登録商標）移植片とすることができ、この移植片は、好ましくは螺旋状の側枝と２ｃｍの最少の重なりを有するように下腹動脈内へと進入させる。ひとたびはめ合い移植片が配備され且つ適切にバルーン拡張されると、外側腸骨脚部の残りの部分が配備される。この構成要素は、図３ｃに示されている改造された１２ｍｍの伸長部を備えているZenith（登録商標）移植片の残りの部分とはめ合わせられる。
【０１７５】
以上、本発明を特定の例示的な実施例に関連して説明し図示したけれども、本発明は、これらの例示的な実施例に限定されることは意図されていない。当業者は、特許請求の範囲に規定されている本発明の真の範囲及び精神から逸脱することなく変更及び改造を施すことができることがわかるであろう。従って、添付の特許請求の範囲及びその等価物に包含されるこのような変更及び改造の全てを本発明に包めることが意図されている。
【符号の説明】
【０１７６】
１０  人工器官幹部、          １２  人工器官側枝、        １４  側枝伸長部、
２０  人工器官幹部、          ２１  連結部、              ２２  人工器官側枝、
２５  側枝伸長部、            ２７  取り付け部、          ４０  人工器官、
４２  人工器官幹部、          ４４  人工器官側枝、          ４６  吻合部、
４７  継ぎ目、                ４８  襞、          ５０，５２，５３  ステント、
５４  遠位の小孔、            ５５  側枝伸長部、          ６０  人工器官、
６２  人工器官幹部、          ６４  人工器官側枝、        ６５  遠位小孔、
６６  外側Ｚ型ステント、      ６８  吻合部、
７０  内側Ｚ型ステント、      ７２  内側ステント、        ７４  遠位の先端、
７５  長手軸線、              ８０  人工器官側枝、        ８４  近位端、
８６  外周、                  ８８  人工器官幹部、        ８９  外周、
９０  人工器官、              ９２，９４  人工器官側枝、
９３  人工器官の遠位端、      ９５  ステント、            ９６  ステント、
９７  ステント、              ９８  吻合部、              １１０  人工器官、
１１２  対側人工器官側枝、    １１４  人工器官幹部、      １１６  分枝、
１１８  継ぎ目、              １２０  遠位小孔、
１２２  人工器官幹部の遠位端、          １２３  内側ステント、
１２４  人工器官幹部の近位端、          １２６  人工器官幹部ステント、
１２８  ステント、            １３０  近位小孔、
１３２  人工器官側枝の遠位端、          １４０  人工器官、
１４１  人工器官幹部、        １４２  放射線不透過性のマーカー、
１４３  外側ステント、                  １４４  人工器官側枝、
１４５  人工器官幹部の遠位端、          １４６  継ぎ目、
１６０  内側ステント、        １６１  人工器官側枝、
１６２  外側ステント、        １６３  遠位のステント、        １６８  分岐、
１７０  人工器官幹部、                  ２１０  人工器官、
２１１  対側の人工器官、      ２１２  人工器官、          ２１３  人工器官側枝、
２１４  人工器官幹部、        ２１５  金マーカー、        ２１７  近位部分、
２１９  遠位部分、            ２２０  遠位小孔、
２２２  遠位端、人口器官側枝の遠位小孔、
２２３  内側ステント、        ２２４  人工器官幹部の近位端、
２２５  継ぎ目、              ２２６  ステント、          ２２７  分岐、
２２８  ステント、            ２２９  遠位のステント、    ２３０  近位小孔、
２３１  山部、                ２５０  人工器官、          ２５２  人工器官側枝、
２５３  第一の近位のステント、        ２５４  人工器官幹部、
２５５  第二の近位のステント、        ２５６  隙間、      ２５９  吻合部、
３００  人工器官、            ３０１  襞、                ３０２  人工器官幹部、
３０４  人工器官側枝、                ３０６  ステント、
３１０  近位のステント、      ３１４  ステント、          ３２０  吻合部、
３２２  近位のステント、      ３３０  遠位小孔、          ３５０  人工器官、
３５２  人工器官側枝、                ３５４  吻合部、
３５８  近位のステント、      ４００  人工器官、          ４０２  大動脈、
４０３  人工器官モジュール、          ４０４，４０５  腸骨動脈、
４０６  下腹動脈、            ４０７  腸骨動脈肢、        ４０８  人工器官側枝、
４０９  腸骨動脈伸長部、      ４１０  下腹動脈側枝伸長部、
４１２  幹部、                ４１３  中間人工器官モジュール、
４１４  人工器官側枝、        ４１５  環状のステント、
４１６  遠位小孔、            ４１７  縫合糸、            ４１８  ステント、
４１９  閉ループ、            ４２０  内側ステント、      ４２２  外側ステント、
４２３  中間人工器官モジュールの遠位端、
４３７  Ｚ型ステント、        ４４０  ループ、            ４７０  ステント、
４７１  近位の輪部分、        ４７２  遠位の輪部分、
４７３  卵形のステント外周部分、
４７４  装置、                ４７８，４７９  アーチ状の面、
４８０  穴、                  ４８１  装置のキャビティ、
４８３  基部、                ４８４  アーチ状部分、
４８５  遠位のアーチ状部分、            ４８６  柱、
５１９  吻合部、              ５２０  大動脈モジュール、人工器官幹部、
５２１  ＳＭＡ枝、            ５２２  腹腔枝、            ５２４，５２５  腎枝、
５２３  腹腔枝、              ５２６  腹腔枝、            ５２７  人工器官幹部、
５２８  内側螺旋状側枝、      ５２９  遠位小孔、
５３０，５３１  バッフル、    ５３２  隙間、                ５３３  腹腔枝、
５３３  側枝管腔、            ５３４  ＳＭＡ枝、幹部管腔、
５３５  Ｚ型ステント、        ５３６  ポケット、          ５３７  吻合部、
５３８，５３９  腎枝、                ５４０  人工器官幹部、
５４１  吻合部、              ５４２  尾部、              ５４３  配備ワイヤー、
５４５  人工器官側枝、        ５４６  遠位小孔、
５４７，５６７，５６９  側枝、            ５４８  吻合部、
５４９  管腔内人工器官、      ５５０  人工器官幹部、
５５１  左総頚動脈用人工器官側枝、        ５５２  側枝、
５５３  左鎖骨下動脈用人工器官側枝、      ５５５  遠位端、
５５６  上腸間膜動脈開窓、ＳＭＡ用開窓、
５５７，５５９  放射線不透過性のマーカー、
５５８  腎臓開窓、            ５５９  遠位の内側ステント、
５７９，５８１  襞、          ５６０  近位の内側ステント、
５６１  外側ステント、        ５６２  近位端、              ５６４  吻合部、
５６５  小孔、                ５８２  遠位のステント、
５８３  近位のステント、      ６００  ステント移植片、
６０２，６１２  放射線不透過性のマーカー、
６０４  補助開窓、            ６０６  左腎用開窓、          ６０８  ステント、
６１０  ステント、            ６１４  人工器官側枝、        ６１８  吻合部、
６２０  マーカー、            ６２２  吻合部、              ６２４  遠位端、
６２６  ステント移植片の近位端、            ６３０  スカラップ、
６３２，６３４  領域、        ６３６  右腎用開窓、
６５０  ステント移植片、      ６５２  近位のステント、
６５４  外側Ｚ型ステント、    ６５６  遠位端、              ６５８  近位端、
６６０  側枝、                ６６２  ＳＭＡ用開窓、
６６４  左腎用開窓、          ６６６  近位部分、            ６６８  遠位部分、
６７０  テーパー部、          ６７２  右腎用開窓、
６７６  内側Ｚ型ステント、    ６７０  側枝−幹部吻合、      ７２０  人工器官、
７００  導入器、              ７１０  筒状のスリーブ、
７１１  可撓性の伸長部分、    ７１２  穴、
７１５  薄壁の金属管、        ７１６  結合装置、
７１９  自己拡張型ステント、                ７２０  人工器官、
７２１  Ｚ型ステント、                      ７２３  本体部分、
７２４  近位のワイヤー解放機構、            ７２５  遠位のワイヤー解放機構、
７２９  側方チューブ、        ７３０  シース、              ７３２  長い脚部、
７３５  把持及び止血密封装置、              ７３６  本体、
７３７  クランプねじ、                      ７３９  ピン用バイス、
７４１  プラスチック製のチューブ、          ７４２  人工器官の遠位端、
７４６  ねじ込みキャップ、                  ７５０  人工器官、
７５１  逆棘部、              ７６０  短い脚部、
７８０  外部操作部分、        ７８２  遠位の取り付け部分、
７８４  近位の取付け部分、    ８００  送り込み先端、    ８０２  ガイドワイヤー、
【図１】
0005490794.tif 000002
【図２】
0005490794.tif 000003
【図３ａ】
0005490794.tif 000004
【図３ｂ】
0005490794.tif 000005
【図３ｃ】
0005490794.tif 000006
【図４ａ】
0005490794.tif 000007
【図４ｂ】
0005490794.tif 000008
【図４ｃ】
0005490794.tif 000009
【図５ａ】
0005490794.tif 000010
【図５ｂ】
0005490794.tif 000011
【図５ｃ】
0005490794.tif 000012
【図５ｄ】
0005490794.tif 000013
【図６ａ】
0005490794.tif 000014
【図６ｂ】
0005490794.tif 000015
【図７ａ】
0005490794.tif 000016
【図７ｂ】
0005490794.tif 000017
【図８ａ】
0005490794.tif 000018
【図８ｂ】
0005490794.tif 000019
【図８ｃ】
0005490794.tif 000020
【図８ｄ】
0005490794.tif 000021
【図９ａ】
0005490794.tif 000022
【図９ｂ】
0005490794.tif 000023
【図１０ａ】
0005490794.tif 000024
【図１０ｂ】
0005490794.tif 000025
【図１１ａ】
0005490794.tif 000026
【図１１ｂ】
0005490794.tif 000027
【図１１ｃ】
0005490794.tif 000028
【図１２ａ】
0005490794.tif 000029
【図１２ｂ】
0005490794.tif 000030
【図１２ｃ】
0005490794.tif 000031
【図１３ａ】
0005490794.tif 000032
【図１３ｂ】
0005490794.tif 000033
【図１３ｃ】
0005490794.tif 000034
【図１４ａ】
0005490794.tif 000035
【図１４ｂ】
0005490794.tif 000036
【図１５ａ】
0005490794.tif 000037
【図１５ｂ】
0005490794.tif 000038
【図１５ｃ】
0005490794.tif 000039
【図１６】
0005490794.tif 000040
【図１７】
0005490794.tif 000041
【図１８】
0005490794.tif 000042
【図１９】
0005490794.tif 000043
【図２０】
0005490794.tif 000044
【図２１ａ】
0005490794.tif 000045
【図２１ｂ】
0005490794.tif 000046
【図２１ｃ】
0005490794.tif 000047
【図２１ｄ】
0005490794.tif 000048
【図２２ａ】
0005490794.tif 000049
【図２２ｂ】
0005490794.tif 000050
【図２３ａ】
0005490794.tif 000051
【図２３ｂ】
0005490794.tif 000052
【図２３ｃ】
0005490794.tif 000053
【図２３ｄ】
0005490794.tif 000054
【図２３ｅ】
0005490794.tif 000055
【図２３ｆ】
0005490794.tif 000056
【図２４ａ】
0005490794.tif 000057
【図２４ｂ】
0005490794.tif 000058
【図２４ｃ】
0005490794.tif 000059
【図２４ｄ】
0005490794.tif 000060
【図２５】
0005490794.tif 000061
【図２６】
0005490794.tif 000062
【図２７ａ】
0005490794.tif 000063
【図２７ｂ】
0005490794.tif 000064
【図２７ｃ】
0005490794.tif 000065
【図２７ｄ】
0005490794.tif 000066
【図２７ｅ】
0005490794.tif 000067
【図２８ａ】
0005490794.tif 000068
【図２８ｂ】
0005490794.tif 000069
【図２８ｃ】
0005490794.tif 000070
【図２９】
0005490794.tif 000071
【図３０】
0005490794.tif 000072
【図３１】
0005490794.tif 000073
【図３２ａ】
0005490794.tif 000074
【図３２ｂ】
0005490794.tif 000075
【図３２ｃ】
0005490794.tif 000076
【図３３】
0005490794.tif 000077
【図３４】
0005490794.tif 000078
【図３５】
0005490794.tif 000079
【図３６】
0005490794.tif 000080
【図３７】
0005490794.tif 000081
【図３８】
0005490794.tif 000082
【図３９】
0005490794.tif 000083
【図４０】
0005490794.tif 000084
【図４１ａ】
0005490794.tif 000085
【図４１ｂ】
0005490794.tif 000086
【図４１ｃ】
0005490794.tif 000087
【図４１ｄ】
0005490794.tif 000088
【図４２ａ】
0005490794.tif 000089
【図４２ｂ】
0005490794.tif 000090
【図４２ｃ】
0005490794.tif 000091
【図４２ｄ】
0005490794.tif 000092
【図４３】
0005490794.tif 000093
【図４４】
0005490794.tif 000094